(57)【要約】通信区間の品質の分析システムは、試験計測信号を送信する送信装置と、試験計測信号を送信する受信装置と、送信装置と受信装置との間の試験計測信号の伝送経路上に夫々位置し、試験計測信号を受信装置へ向けて中継するときにその中継時刻を試験計測信号に設定する複数の中継装置と、送信装置と前記受信装置とが試験計測信号を２回以上送受信することによって前記受信装置で取得される、各中継装置の中継時刻の２回以上の計測結果を前記受信装置から受信し、中継時刻の計測結果に基づいて、中継装置間で構成される通信区間の品質の指標値を算出し、通信区間の通信品質の指標値を出力する分析装置とを備える。
2005013567.tif 000002
【特許請求の範囲】
【請求項１】
試験計測信号を送信する送信装置と、
前記試験計測信号を送信する受信装置と、
前記送信装置と前記受信装置との間の前記試験計測信号の伝送経路上に夫々位置し、前記試験計測信号を前記受信装置へ向けて中継するときにその中継時刻を前記試験計測信号に設定する複数の中継装置と、
前記送信装置と前記受信装置とが前記試験計測信号を２回以上送受信することによって前記受信装置で取得される、前記各中継装置の中継時刻の２回以上の計測結果を前記受信装置から受信する受信手段，
前記中継時刻の計測結果に基づいて、中継装置間で構成される通信区間の品質の指標値を算出する算出手段，及び
通信区間の通信品質の指標値を出力する出力手段とを含む分析装置と、
を備える通信区間の品質の分析システム。
【請求項２】
前記送信装置は、前記試験計測信号にその送信時刻を設定し、
前記受信手段は、前記送信時刻の２回以上の計測結果を前記受信装置からさらに受信し、
前記算出手段は、送信時刻及び中継時刻の計測結果に基づいて、前記送信装置とその直後に位置する中継装置との間で構成される通信区間の品質の指標値をさらに算出する
請求項１記載の通信区間の品質の分析システム。
【請求項３】
前記受信手段は、前記受信装置による前記試験計測信号の受信時刻の２回以上の計測結果を前記受信装置からさらに受信し、
前記算出手段は、中継時刻及び受信時刻の計測結果に基づいて、前記受信装置とその直前に位置する中継装置との間で構成される通信区間の品質の指標値をさらに算出する
請求項１又は２記載の通信区間の品質の分析システム。
【請求項４】
前記算出手段は、或る中継装置（ｉ（ｉは整数））における試験計測信号（ｍ−１（ｍは整数））の中継時刻（Ｔ１）と、この中継装置（ｉ）の直前に位置する中継装置（ｉ−１）における前記試験計測信号（ｍ−１）の中継時刻（ｔ１）と、前記中継装置（ｉ）における次の試験計測信号（ｍ）の中継時刻（Ｔ２）と、前記中継装置（ｉ−１）における次の試験計測信号（ｍ）の中継時刻（ｔ２）とを次の式
（Ｔ２−Ｔ１−ｔ２＋ｔ１）２
に当てはめることで得られる前記中継装置（ｉ−１）と前記中継装置（ｉ）との間の揺らぎ量，又はこのような揺らぎ量を前記中継装置（ｉ−１）及び前記中継装置（ｉ）の中継時刻の計測回数に応じて求めることで得られる揺らぎ量の平均値を、前記指標値として算出する
請求項１〜３のいずれかに記載の通信区間の品質の分析システム。
【請求項５】
前記算出手段は、或る中継装置（ｉ（ｉは整数））における試験計測信号（ｍ−１（ｍは整数））の中継時刻（Ｔ１）と、この中継装置（ｉ）の直前に位置する送信装置（ｉ−１）における前記試験計測信号（ｍ−１）の送信時刻（ｔ１）と、前記中継装置（ｉ）における次の試験計測信号（ｍ）の中継時刻（Ｔ２）と、前記送信装置（ｉ−１）における次の試験計測信号（ｍ）の送信時刻（ｔ２）とを次の式
（Ｔ２−Ｔ１−ｔ２＋ｔ１）２
に当てはめることで得られる前記送信装置（ｉ−１）と前記中継装置（ｉ）との間の揺らぎ量，又はこのような揺らぎ量を前記送信装置（ｉ−１）及び前記中継装置（ｉ）についての送信時刻及び中継時刻の計測回数に応じて求めることで得られる揺らぎ量の平均値を、前記指標値として算出する
請求項２〜４のいずれかに記載の通信区間の品質の分析システム。
【請求項６】
前記算出手段は、前記受信装置（ｉ（ｉは整数））における試験計測信号（ｍ−１（ｍは整数））の受信時刻（Ｔ１）と、前記受信装置（ｉ）の直前に位置する中継装置（ｉ−１）における前記試験計測信号（ｍ−１）の中継時刻（ｔ１）と、前記受信装置（ｉ）における次の試験計測信号（ｍ）の受信時刻（Ｔ２）と、前記中継装置（ｉ−１）における次の試験計測信号（ｍ）の中継時刻（ｔ２）とを次の式
（Ｔ２−Ｔ１−ｔ２＋ｔ１）２
に当てはめることで得られる前記中継装置（ｉ−１）と前記受信装置（ｉ）との間の揺らぎ量，又はこのような揺らぎ量を前記中継装置（ｉ−１）及び前記受信装置（ｉ）についての中継時刻及び受信時刻の計測回数に応じて求めることで得られる揺らぎ量の平均値を、前記指標値として算出する
請求項１〜３のいずれかに記載の通信区間の品質の分析システム。
【請求項７】
前記送信装置は、自装置と受信装置との間における送信装置と中継装置との間，中継装置間，及び中継装置と受信装置との間のいずれかで構成される試験計測信号の各通信区間の始点及び終点に夫々相当する各装置の試験計測信号に対する送信時刻，中継時刻，及び受信時刻のいずれかを計測するための試験処理を２以上の所定の回数実行し、
各試験処理において、前記送信装置は、
自装置の試験計測信号の送信時刻が設定された一回目の試験計測信号を前記受信装置へ向けて送信し、
その後、この試験計測信号を受信した受信装置から当該試験計測信号が通過した装置数を示す通過装置数を受信し、
前記通過装置数に基づいて前記一回目の試験計測信号に全ての通信区間に対応する中継時刻が設定されたか否かを判定し、中継時刻が設定されている場合において、試験処理の回数が所定の回数に達していなければ次の試験処理を開始し、所定の回数に達していれば、試験処理を終了し、
前記一回目の試験計測信号に全ての通信区間に対応する中継時刻が設定されていなければ、全ての通信区間に対応する中継時刻が前記受信装置で取得されるまで、一回目の試験計測信号に設定されなかった中継時刻を設定するための二回目以降の試験計測信号を必要な数だけ送信する
請求項１〜６のいずれかに記載の通信区間の品質の分析システム。
【請求項８】
前記中継装置の夫々は、試験計測信号を受信した場合に、自装置が当該試験計測信号に中継時刻を設定すべきか否かを、当該試験計測信号に設定されている判定用情報に基づいて判定し、
中継時刻を設定すべきと判定した場合には、当該試験計測信号に中継情報を設定して送出し、中継時刻を設定すべきでないと判定した場合には、当該試験計測信号に中継時刻を設定することなく送出する
請求項７記載の通信区間の品質の分析システム。
【請求項９】
前記受信装置は、試験計測信号を受信する毎に、この試験計測信号に自装置の直前に位置する中継装置の中継時刻が設定されているか否かを判定し、
当該中継装置の中継時刻が設定されていない場合には、この試験計測信号に設定されている全ての中継時刻，又は送信時刻及び全ての中継時刻を含む試験ログ信号を生成して前記分析装置に送信し、
当該中継装置の中継時刻が設定されている場合には、この試験計測信号に設定されている全ての中継時刻，又は送信時刻及び全ての中継時刻と、前記受信装置での当該試験計測信号の受信時刻とを含む試験ログ信号を生成して分析装置に送信する
請求項７又は８記載の通信区間の品質の分析システム。
【請求項１０】
前記分析装置の算出手段は、
前記受信手段で受信される前記所定回数の計測処理に応じた複数の試験ログ信号から、計測回数毎の送信時刻，中継時刻，受信時刻を含むレコードからなる計測ログテーブルを生成する計測ログテーブル生成手段と、
計測ログテーブルに設定された、連続する二つの計測回数における送信時刻，中継時刻，及び受信時刻に基づいて、前記送信装置と前記受信装置との間の各通信区間の揺らぎ量を算出する揺らぎ量算出手段と、
前記揺らぎ量算出手段で得られた揺らぎ量の平均値を求め、当該平均値と対応する通信区間の識別情報とを含むレコードからなる揺らぎ算出結果テーブルを生成する揺らぎ算出結果テーブル生成手段と、を含む
請求項９記載の通信区間の品質の分析システム。
【請求項１１】
前記分析装置は、受信装置の指定を含む試験開始指示信号を送信装置に送信し、
前記送信装置は、試験開始指示信号を受信した場合に、この試験開始指示信号で指定された受信装置との間で試験計測信号を送受信するための呼を設定し、前記所定回数の試験処理を実行し、当該試験処理の実行が終了すると、試験終了通知信号を前記分析装置に送信するとともに、前記呼を解放する
請求項８記載の通信区間の品質の分析システム。
【請求項１２】
前記分析装置は、前記試験開始指示信号を送信したときに、この試験開始指示信号で指定した受信装置からの試験ログ信号の受け付けを開始し、前記試験終了通知信号を受信したときに、前記試験ログ信号の受付を終了する
請求項１１記載の通信区間の品質の分析システム。
【請求項１３】
前記中継装置は、前記試験計測信号に中継時刻を設定する際に、自装置の識別情報をさらに設定し、
前記分析装置の受信手段は、中継時刻の計測結果とともに前記中継装置の識別情報を受信し、
前記出力手段は、前記指標値とこの指標値に対応する通信区間を構成する中継装置の識別情報を出力する
請求項１〜１２のいずれかに記載の通信区間の品質の分析システム。
【請求項１４】
前記送信装置，前記中継装置，前記送信装置の夫々は、ＩＰネットワークに接続され、
前記送信装置及び前記受信装置の夫々は、ＩＰ電話機，ＶｏＩＰゲートウェイ，ルータのいずれかであり、
前記中継装置は、ルータである
請求項１〜１３のいずれかに記載の通信区間の品質の分析システム。
【請求項１５】
送信装置の送信時刻が設定された試験信号が送信装置と受信装置との間で２回以上送受信されることにより前記受信装置で取得される前記送信装置の送信時刻と前記受信装置の試験信号の受信時刻との２回以上の計測結果を受信する受信手段と、
前記送信時刻と受信時刻との計測結果に基づいて、前記送信装置と前記受信装置との間で構成される通信区間における品質の指標値を算出する算出手段と、
前記通信区間における品質の指標値を出力する出力手段と
を含む通信区間の品質の分析装置。
【請求項１６】
中継装置を通過する際にこの中継装置で中継時刻が設定される試験信号がこの試験信号の送信装置と受信装置との間で２回以上送受信されることにより前記受信装置で取得される前記中継時刻と前記受信装置の試験信号の受信時刻との２回以上の計測結果を受信する受信手段と、
前記中継時刻と前記受信時刻との計測結果に基づいて、前記受信装置とその直前に位置する中継装置との間で構成される通信区間における品質の指標値を算出する算出手段と、
前記通信区間における品質の指標値を出力する出力手段と
を含む通信区間の品質の分析装置。
【請求項１７】
前記受信手段は、前記受信装置で２回以上受信される試験信号から前記送信装置で試験信号に設定される試験信号の送信時刻の２回以上の計測結果が得られた場合には、その２回以上の送信時刻の計測結果を前記受信装置からさらに受信し、
前記算出手段は、前記送信時刻と前記中継時刻との計測結果に基づいて、前記送信装置とその直後に位置する中継装置との間で構成される通信区間における品質の指標値をさらに算出する
請求項１６記載の通信区間の品質の分析装置。
【請求項１８】
送信装置で送信時刻が設定され、且つ中継装置を通過する際にこの中継装置で中継時刻が設定される試験信号が前記送信装置と受信装置との間で２回以上送受信されることにより前記受信装置で取得される前記送信時刻と前記中継時刻との２回以上の計測結果を受信する受信手段と、
前記送信時刻と前記中継時刻との計測結果に基づいて、前記送信装置とその直後に位置する中継装置との間で構成される通信区間における品質の指標値を算出する算出手段と、
前記通信区間における品質の指標値を出力する出力手段と
を含む通信区間の品質の分析装置。
【請求項１９】
前記受信手段は、前記受信装置での２回以上の試験信号の受信により前記受信装置で試験信号の受信時刻の２回以上の計測結果が取得される場合には、その２回以上の受信時刻の計測結果を前記受信装置からさらに受信し、
前記算出手段は、前記中継時刻と前記受信時刻との計測結果に基づいて、前記受信装置とその直前に位置する中継装置との間で構成される通信区間における品質の指標値をさらに算出する
請求項１８記載の通信区間の品質の分析装置。
【請求項２０】
前記受信手段は、前記受信装置で２回以上受信される試験信号から、前記送信装置と前記受信装置との間に位置し試験信号を夫々中継する複数の中継装置の夫々で設定される各中継装置の中継時刻の２回以上の計測結果が前記受信装置で取得される場合には、この２回以上の中継時刻の計測結果を受信し、
前記算出手段は、前記中継時刻の計測結果に基づいて、中継装置間で構成される通信区間における品質の指標値をさらに算出する
請求項１６〜１９のいずれかに記載の通信区間の品質の分析装置。
【請求項２１】
前記算出手段は、前記受信装置（ｉ（ｉは整数））における試験計測信号（ｍ−１（ｍは整数））の受信時刻（Ｔ１）と、前記送信装置（ｉ−１）における前記試験計測信号（ｍ−１）の送信時刻（ｔ１）と、前記受信装置（ｉ）における次の試験計測信号（ｍ）の受信時刻（Ｔ２）と、前記送信装置（ｉ−１）における次の試験計測信号（ｍ）の中継時刻（ｔ２）とを次の式
（Ｔ２−Ｔ１−ｔ２＋ｔ１）２
に当てはめることで得られる前記送信装置（ｉ−１）と前記受信装置（ｉ）との間の揺らぎ量，又はこのような揺らぎ量を前記送信装置（ｉ−１）及び前記受信装置（ｉ）についての送信時刻及び受信時刻の計測回数に応じて求めることで得られる揺らぎ量の平均値を、前記指標値として算出する
請求項１５記載の通信区間の品質の分析装置。
【請求項２２】
前記算出手段は、前記受信装置（ｉ（ｉは整数））における試験計測信号（ｍ−１（ｍは整数））の受信時刻（Ｔ１）と、前記受信装置（ｉ）の直前に位置する中継装置（ｉ−１）における前記試験計測信号（ｍ−１）の中継時刻（ｔ１）と、前記受信装置（ｉ）における次の試験計測信号（ｍ）の受信時刻（Ｔ２）と、前記中継装置（ｉ−１）における次の試験計測信号（ｍ）の中継時刻（ｔ２）とを次の式
（Ｔ２−Ｔ１−ｔ２＋ｔ１）２
に当てはめることで得られる前記中継装置（ｉ−１）と前記受信装置（ｉ）との間の揺らぎ量，又はこのような揺らぎ量を前記中継装置（ｉ−１）及び前記受信装置（ｉ）についての中継時刻及び受信時刻の計測回数に応じて求めることで得られる揺らぎ量の平均値を、前記指標値として算出する
請求項１６又は１７記載の通信区間の品質の分析装置。
【請求項２３】
前記算出手段は、前記送信装置（ｉ（ｉは整数））における試験計測信号（ｍ−１（ｍは整数））の中継時刻（Ｔ１）と、この中継装置ｉの直前に位置する送信装置（ｉ−１）における前記試験計測信号（ｍ−１）の送信時刻（ｔ１）と、前記中継装置（ｉ）における次の試験計測信号（ｍ）の中継時刻（Ｔ２）と、前記送信装置（ｉ−１）における次の試験計測信号（ｍ）の送信時刻（ｔ２）とを次の式
（Ｔ２−Ｔ１−ｔ２＋ｔ１）２
に当てはめることで得られる前記送信装置（ｉ−１）と前記中継装置（ｉ）との間の揺らぎ量，又はこのような揺らぎ量を前記送信装置（ｉ−１）及び前記中継装置（ｉ）についての送信時刻及び受信時刻の計測回数に応じて求めることで得られる揺らぎ量の平均値を、前記指標値として算出する
請求項１８又は１９記載の通信区間の品質の分析装置。
【請求項２４】
前記算出手段は、
前記受信手段で受信される前記所定回数の計測処理に応じた複数の試験ログ信号から、計測回数毎の送信時刻，中継時刻，受信時刻を含むレコードからなる計測ログテーブルを生成する計測ログテーブル生成手段と、
計測ログテーブルに設定された、連続する二つの計測回数における送信時刻，中継時刻，及び受信時刻に基づいて、前記送信装置と前記受信装置との間の各通信区間の揺らぎ量を算出する揺らぎ量算出手段と、
前記揺らぎ量算出手段で得られた揺らぎ量の平均値を求め、当該平均値と対応する通信区間の識別情報とを含むレコードからなる揺らぎ算出結果テーブルを生成する揺らぎ算出結果テーブル生成手段と、を含む
請求項１５〜２３のいずれかに記載の通信区間の品質の分析装置。
【請求項２５】
送信装置と受信装置との間での前記試験計測信号の送受信の開始を前記送信装置に指示するための、受信装置の指定を含む試験開始指示信号を前記送信装置に送信する手段と、
前記送信装置で２回以上の所定回数の前記試験計測信号の送信処理が終了した場合に前記送信装置から送信されてくる試験終了通知信号を受信する手段とをさらに備え、
前記受信手段は、前記試験開始指示信号が送信されてから前記試験終了通知信号が受信されるまでの間、前記試験開始指示信号で指定された受信装置から送信されてくる送信時刻，受信時刻，及び中継時刻の少なくとも一つを前記受信手段で受け付ける
請求項１５〜２４のいずれかに記載の通信区間の品質の分析装置。
【請求項２６】
前記受信手段は、送信時刻，受信時刻，及び中継時刻の少なくとも一つの計測結果とともに、送信時刻，受信時刻，又は中継時刻を前記試験計測信号に設定した装置の識別情報を受信し、
前記出力手段は、前記指標値とこの指標値に対応する通信区間を構成する装置の識別情報を出力する
請求項１５〜２５のいずれかに記載の通信区間の品質の分析装置。
【発明の詳細な説明】
【技術分野】  本発明は、通信パス中の通信品質の劣化を生じさせていると認められる区間を検出するための技術に関する。例えば、ＶｏＩＰ（Ｖｏｉｃｅ  ｏｖｅｒ  ＩＰ）による音声パス上で音声品質の劣化を生じさせている区間を検出する技術に関する。
【背景技術】  近年、ＶｏＩＰ技術により音声情報をＩＰ（Ｉｎｔｅｒｎｅｔ  Ｐｒｏｔｏｃｏｌ）網を用いて転送し、端末間での通話を実現する技術がある（「インターネット・テレフォニー」技術と呼ばれる）。この技術では、例えば、図３３や図３４に示すように、ＩＰ網と既存の回線交換網との境界部分に両者のプロトコル変換を行うＶｏＩＰゲートウェイ（ＶｏＩＰ  ＧＷ）が設置される。そして、通話に係る双方又は一方の端末が回線交換網に対応する端末（例えばＰＳＴＮ対応の電話機）である場合には、ＶｏＩＰゲートウェイにおいて、回線交換網とＩＰ網との間のプロトコル変換（例えば、アナログの音声信号とＩＰ音声パケットとの変換）が行われる。これに対し、通話に係る端末がＩＰ端末（ＩＰ電話機）として機能する場合には、その端末に対しては上述したプロトコル変換は行われない。また、ＩＰ音声パケットは、通常のＩＰデータパケットと同様に、ＩＰ網内に用意されたルータ（ＲＯＵＴＥＲ）により、ＩＰ網内を、その宛先へ向けて転送される。
上記したようなＶｏＩＰ技術を用いた通話では、ＩＰ網における音声品質の劣化を防止することが要求される。このため、従来では、ＩＰ網における音声品質が劣化した区間を特定するために、次のような方式が提案されている。
例えば、図３３に示すように、ＩＰ網を構成するサブネット毎に専用のモニタ装置を用意し、モニタ装置がサブネットを通過するＲＴＰ（Ｒｅａｌ−ｔｉｍｅ  Ｔｒａｎｓｐｏｒｔ  Ｐｒｏｔｏｃｏｌ）パケットを監視する。モニタ装置の監視結果は信号ログとして、ＩＰ網に接続されている分析装置に通知される。そして、分析装置が各モニタ装置からの信号ログを分析することにより、ＩＰ網内で音声品質の劣化が生じている区間を特定する。
或いは、図３４に示すように、呼毎の音声品質管理情報を収集する複数のゲートウェイ（ＶｏＩＰゲートウェイ等のＶｏＩＰのエンドポイント）に対して、予めオペレーションサポートシステムにより、遠隔から音声品質管理情報のしきい値を設定し、オペレーションサポートシステムに予め通信機器に割り当てられているＩＰアドレスの接続関係情報を持たせておき、ゲートウェイに設定したしきい値を越えた場合、オペレーションサポートシステムに該当する呼の品質情報を通知し、オペレーションサポートシステムが、複数のゲートウェイから通知された品質情報を、このオペレーションサポートシステムに持たせておいたＩＰアドレスの接続関係情報と夫々照合し、品質劣化が起こっている経路を表示する呼毎の音声品質管理方法がある（例えば、特許文献１）。図３４において、ＶｏＩＰのエンドポイントに相当するＶｏＩＰゲートウェイ及びＩＰ電話機は、音声品質管理情報のしきい値を越えると、対応する呼の品質情報をアラームとしてオペレーションサポートシステムに相当する分析装置に通知する。
その他、本願発明に関連する先行技術文献として、例えば、下記の特許文献２〜６に開示された技術がある。
【特許文献１】    特開２００２−２７１３９２号公報
【特許文献２】    特開２００２−２３２４７５号公報
【特許文献３】    特開２００１−１７７５７３号公報
【特許文献４】    特開２０００−３０７６３７号公報
【特許文献５】    特開２００２−６４５４５号公報
【特許文献６】    特開２００２−１４１９３８号公報
しかしながら、図３３や図３４に示した従来技術では以下の問題点があった。
第１に、図３３に示す方式では、ＩＰ網において、音声パケットが通過する全区間にモニタ装置を設置する必要があった。このため、多大なコストを要するという問題があった。
第２に、図３３に示すモニタ装置は、ＶｏＩＰゲートウェイやルータとＬＡＮ（Ｌｏｃａｌ  Ａｒｅａ  Ｎｅｔｗｏｒｋ）を介して接続される構成を持つ。このため、装置間がＬＡＮと異なるネットワーク（例えば、ＡＴＭ網やＩＳＤＮ網等のＷＡＮ）で接続されている場合（図３３に示す例では、ルータ＃Ｃとルータ＃Ｄとの間や、ルータ＃ＢとＩＰ電話機＃Ｂとの間）には、その間を結ぶ網構成に応じたモニタ装置を設置しなければならなかった。また、モニタ装置を設置することにより、ネットワーク構成が変化する可能性がある区間があった。
第３に、図３３に示す方式では、通話品質の測定に際し、通話装置（電話機）間の経路を予測し、関連するモニタ装置に通話装置のアドレスを設定する必要があった。
第４に、図３３に示す方式では、分析装置が複数のモニタ装置から信号Ｌｏｇを収集するため、ＩＰ網に対する負荷が多大となっていた。
第５に、図３４に示す方式では、分析装置で受信するアラーム数が少ないと、音声品質が劣化している「問題区間」を特定することが困難であった。
第６に、図３４に示す方式では、アラーム数が多発しても、通話経路が偏っていると音声品質が劣化している「問題区間」を特定することが困難であった。
第７に、図３４に示す方式では、アラームを通知しないＶｏＩＰ網，例えば、他ＶｏＩＰキャリア網を経由する通話の場合、自網に「問題区間」があるのか、他ＶｏＩＰキャリア網に「問題区間」があるのかが特定できなかった。
第８に、図３４に示す方式において、アラームの通知が増大することは、ネットワークの負荷の増大につながり、アラームを誘発する問題があった。この問題を解決するために、アラームを通過させるネットワークを別途構成する必要があった。
【発明の開示】
本発明の目的の一つは、品質が劣化していると認められる通信区間を特定するための装置数を従来に比べて減らすことができる技術を提供することである。
また、本発明の目的の一つは、従来技術に比べてネットワークに対する負荷の低減を図ることができる技術を提供することである。
本発明の第１の態様は、
試験計測信号を送信する送信装置と、
前記試験計測信号を送信する受信装置と、
前記送信装置と前記受信装置との間の前記試験計測信号の伝送経路上に夫々位置し、前記試験計測信号を前記受信装置へ向けて中継するときにその中継時刻を前記試験計測信号に設定する複数の中継装置と、
前記送信装置と前記受信装置とが前記試験計測信号を２回以上送受信することによって前記受信装置で取得される、前記各中継装置の中継時刻の２回以上の計測結果を前記受信装置から受信する受信手段，
前記中継時刻の計測結果に基づいて、中継装置間で構成される通信区間の品質の指標値を算出する算出手段，及び
通信区間の通信品質の指標値を出力する出力手段とを含む分析装置と、を備える通信区間の品質の分析システムである。
好ましくは、第１の態様における送信装置は、前記試験計測信号にその送信時刻を設定し、
前記受信手段は、前記送信時刻の２回以上の計測結果を前記受信装置からさらに受信し、
前記算出手段は、送信時刻及び中継時刻の計測結果に基づいて、前記送信装置とその直後に位置する中継装置との間で構成される通信区間の品質の指標値をさらに算出する。
好ましくは、第１の態様における受信手段は、前記受信装置による前記試験計測信号の受信時刻の２回以上の計測結果を前記受信装置からさらに受信し、
前記算出手段は、中継時刻及び受信時刻の計測結果に基づいて、前記受信装置とその直前に位置する中継装置との間で構成される通信区間の品質の指標値をさらに算出する。
好ましくは、第１の態様における算出手段は、或る中継装置（ｉ（ｉは整数））における試験計測信号（ｍ−１（ｍは整数））の中継時刻（Ｔ１）と、この中継装置（ｉ）の直前に位置する中継装置（ｉ−１）における前記試験計測信号（ｍ−１）の中継時刻（ｔ１）と、前記中継装置（ｉ）における次の試験計測信号（ｍ）の中継時刻（Ｔ２）と、前記中継装置（ｉ−１）における次の試験計測信号（ｍ）の中継時刻（ｔ２）とを次の式
（Ｔ２−Ｔ１−ｔ２＋ｔ１）２
に当てはめることで得られる前記中継装置（ｉ−１）と前記中継装置（ｉ）との間の揺らぎ量，又はこのような揺らぎ量を前記中継装置（ｉ−１）及び前記中継装置（ｉ）の中継時刻の計測回数に応じて求めることで得られる揺らぎ量の平均値を、前記指標値として算出する。
好ましくは、第１の態様における算出手段は、或る中継装置（ｉ（ｉは整数））における試験計測信号（ｍ−１（ｍは整数））の中継時刻（Ｔ１）と、この中継装置（ｉ）の直前に位置する送信装置（ｉ−１）における前記試験計測信号（ｍ−１）の送信時刻（ｔ１）と、前記中継装置（ｉ）における次の試験計測信号（ｍ）の中継時刻（Ｔ２）と、前記送信装置（ｉ−１）における次の試験計測信号（ｍ）の送信時刻（ｔ２）とを次の式
（Ｔ２−Ｔ１−ｔ２＋ｔ１）２
に当てはめることで得られる前記送信装置（ｉ−１）と前記中継装置（ｉ）との間の揺らぎ量，又はこのような揺らぎ量を前記送信装置（ｉ−１）及び前記中継装置（ｉ）についての送信時刻及び中継時刻の計測回数に応じて求めることで得られる揺らぎ量の平均値を、前記指標値として算出する。
好ましくは、第１の態様における算出手段は、前記受信装置（ｉ（ｉは整数））における試験計測信号（ｍ−１（ｍは整数））の受信時刻（Ｔ１）と、前記受信装置（ｉ）の直前に位置する中継装置（ｉ−１）における前記試験計測信号（ｍ−１）の中継時刻（ｔ１）と、前記受信装置（ｉ）における次の試験計測信号（ｍ）の受信時刻（Ｔ２）と、前記中継装置（ｉ−１）における次の試験計測信号（ｍ）の中継時刻（ｔ２）とを次の式
（Ｔ２−Ｔ１−ｔ２＋ｔ１）２
に当てはめることで得られる前記中継装置（ｉ−１）と前記受信装置（ｉ）との間の揺らぎ量，又はこのような揺らぎ量を前記中継装置（ｉ−１）及び前記受信装置（ｉ）についての中継時刻及び受信時刻の計測回数に応じて求めることで得られる揺らぎ量の平均値を、前記指標値として算出する。
好ましくは、第１の態様における送信装置は、自装置と受信装置との間における送信装置と中継装置との間，中継装置間，及び中継装置と受信装置との間のいずれかで構成される試験計測信号の各通信区間の始点及び終点に夫々相当する各装置の試験計測信号に対する送信時刻，中継時刻，及び受信時刻のいずれかを計測するための試験処理を２以上の所定の回数実行し、
各試験処理において、前記送信装置は、
自装置の試験計測信号の送信時刻が設定された一回目の試験計測信号を前記受信装置へ向けて送信し、
その後、この試験計測信号を受信した受信装置から当該試験計測信号が通過した装置数を示す通過装置数を受信し、
前記通過装置数に基づいて前記一回目の試験計測信号に全ての通信区間に対応する中継時刻が設定されたか否かを判定し、中継時刻が設定されている場合において、試験処理の回数が所定の回数に達していなければ次の試験処理を開始し、所定の回数に達していれば、試験処理を終了し、
前記一回目の試験計測信号に全ての通信区間に対応する中継時刻が設定されていなければ、全ての通信区間に対応する中継時刻が前記受信装置で取得されるまで、一回目の試験計測信号に設定されなかった中継時刻を設定するための二回目以降の試験計測信号を必要な数だけ送信する。
好ましくは、第１の態様における中継装置の夫々は、試験計測信号を受信した場合に、自装置が当該試験計測信号に中継時刻を設定すべきか否かを、当該試験計測信号に設定されている判定用情報に基づいて判定し、
中継時刻を設定すべきと判定した場合には、当該試験計測信号に中継情報を設定して送出し、中継時刻を設定すべきでないと判定した場合には、当該試験計測信号に中継時刻を設定することなく送出する。
好ましくは、第１の態様における受信装置は、試験計測信号を受信する毎に、この試験計測信号に自装置の直前に位置する中継装置の中継時刻が設定されているか否かを判定し、
当該中継装置の中継時刻が設定されていない場合には、この試験計測信号に設定されている全ての中継時刻，又は送信時刻及び全ての中継時刻を含む試験ログ信号を生成して前記分析装置に送信し、
当該中継装置の中継時刻が設定されている場合には、この試験計測信号に設定されている全ての中継時刻，又は送信時刻及び全ての中継時刻と、前記受信装置での当該試験計測信号の受信時刻とを含む試験ログ信号を生成して分析装置に送信する。
好ましくは、第１の態様における分析装置の算出手段は、
前記受信手段で受信される前記所定回数の計測処理に応じた複数の試験ログ信号から、計測回数毎の送信時刻，中継時刻，受信時刻を含むレコードからなる計測ログテーブルを生成する計測ログテーブル生成手段と、
計測ログテーブルに設定された、連続する二つの計測回数における送信時刻，中継時刻，及び受信時刻に基づいて、前記送信装置と前記受信装置との間の各通信区間の揺らぎ量を算出する揺らぎ量算出手段と、
前記揺らぎ量算出手段で得られた揺らぎ量の平均値を求め、当該平均値と対応する通信区間の識別情報とを含むレコードからなる揺らぎ算出結果テーブルを生成する揺らぎ算出結果テーブル生成手段と、を含む。
好ましくは、第１の態様における分析装置は、受信装置の指定を含む試験開始指示信号を送信装置に送信し、
前記送信装置は、試験開始指示信号を受信した場合に、この試験開始指示信号で指定された受信装置との間で試験計測信号を送受信するための呼を設定し、前記所定回数の試験処理を実行し、当該試験処理の実行が終了すると、試験終了通知信号を前記分析装置に送信するとともに、前記呼を解放する。
好ましくは、第１の態様における分析装置は、前記試験開始指示信号を送信したときに、この試験開始指示信号で指定した受信装置からの試験ログ信号の受け付けを開始し、前記試験終了通知信号を受信したときに、前記試験ログ信号の受付を終了する。
好ましくは、第１の態様における中継装置は、前記試験計測信号に中継時刻を設定する際に、自装置の識別情報をさらに設定し、
前記分析装置の受信手段は、中継時刻の計測結果とともに前記中継装置の識別情報を受信し、
前記出力手段は、前記指標値とこの指標値に対応する通信区間を構成する中継装置の識別情報を出力する。
好ましくは、前記送信装置，前記中継装置，前記送信装置の夫々は、ＩＰネットワークに接続され、
前記送信装置及び前記受信装置の夫々は、ＩＰ電話機，ＶｏＩＰゲートウェイ，ルータのいずれかであり、
前記中継装置は、ルータである。
本発明の第２の態様は、送信装置の送信時刻が設定された試験信号が送信装置と受信装置との間で２回以上送受信されることにより前記受信装置で取得される前記送信装置の送信時刻と前記受信装置の試験信号の受信時刻との２回以上の計測結果を受信する受信手段と、
前記送信時刻と受信時刻との計測結果に基づいて、前記送信装置と前記受信装置との間で構成される通信区間における品質の指標値を算出する算出手段と、
前記通信区間における品質の指標値を出力する出力手段と
を含む通信区間の品質の分析装置である。
本発明の第３の態様は、中継装置を通過する際にこの中継装置で中継時刻が設定される試験信号がこの試験信号の送信装置と受信装置との間で２回以上送受信されることにより前記受信装置で取得される前記中継時刻と前記受信装置の試験信号の受信時刻との２回以上の計測結果を受信する受信手段と、
前記中継時刻と前記受信時刻との計測結果に基づいて、前記受信装置とその直前に位置する中継装置との間で構成される通信区間における品質の指標値を算出する算出手段と、
前記通信区間における品質の指標値を出力する出力手段と
を含む通信区間の品質の分析装置である。
好ましくは、第３の態様における受信手段は、前記受信装置で２回以上受信される試験信号から前記送信装置で試験信号に設定される試験信号の送信時刻の２回以上の計測結果が得られた場合には、その２回以上の送信時刻の計測結果を前記受信装置からさらに受信し、
前記算出手段は、前記送信時刻と前記中継時刻との計測結果に基づいて、前記送信装置とその直後に位置する中継装置との間で構成される通信区間における品質の指標値をさらに算出する。
本発明の第４の態様は、送信装置で送信時刻が設定され、且つ中継装置を通過する際にこの中継装置で中継時刻が設定される試験信号が前記送信装置と受信装置との間で２回以上送受信されることにより前記受信装置で取得される前記送信時刻と前記中継時刻との２回以上の計測結果を受信する受信手段と、
前記送信時刻と前記中継時刻との計測結果に基づいて、前記送信装置とその直後に位置する中継装置との間で構成される通信区間における品質の指標値を算出する算出手段と、
前記通信区間における品質の指標値を出力する出力手段と
を含む通信区間の品質の分析装置である。
好ましくは、第４の態様における受信手段は、前記受信装置での２回以上の試験信号の受信により前記受信装置で試験信号の受信時刻の２回以上の計測結果が取得される場合には、その２回以上の受信時刻の計測結果を前記受信装置からさらに受信し、
前記算出手段は、前記中継時刻と前記受信時刻との計測結果に基づいて、前記受信装置とその直前に位置する中継装置との間で構成される通信区間における品質の指標値をさらに算出する。
好ましくは、第３及び４の態様における受信手段は、前記受信装置で２回以上受信される試験信号から、前記送信装置と前記受信装置との間に位置し試験信号を夫々中継する複数の中継装置の夫々で設定される各中継装置の中継時刻の２回以上の計測結果が前記受信装置で取得される場合には、この２回以上の中継時刻の計測結果を受信し、
前記算出手段は、前記中継時刻の計測結果に基づいて、中継装置間で構成ｓれる通信区間における品質の指標値をさらに算出する。
好ましくは、第２の態様における算出手段は、前記受信装置（ｉ（ｉは整数））における試験計測信号（ｍ−１（ｍは整数））の受信時刻（Ｔ１）と、前記送信装置（ｉ−１）における前記試験計測信号（ｍ−１）の送信時刻（ｔ１）と、前記受信装置（ｉ）における次の試験計測信号（ｍ）の受信時刻（Ｔ２）と、前記送信装置（ｉ−１）における次の試験計測信号（ｍ）の中継時刻（ｔ２）とを次の式
（Ｔ２−Ｔ１−ｔ２＋ｔ１）２
に当てはめることで得られる前記送信装置（ｉ−１）と前記受信装置（ｉ）との間の揺らぎ量，又はこのような揺らぎ量を前記送信装置（ｉ−１）及び前記受信装置（ｉ）についての送信時刻及び受信時刻の計測回数に応じて求めることで得られる揺らぎ量の平均値を、前記指標値として算出する。
好ましくは、第３の態様における算出手段は、前記受信装置（ｉ（ｉは整数））における試験計測信号（ｍ−１（ｍは整数））の受信時刻（Ｔ１）と、前記受信装置（ｉ）の直前に位置する中継装置（ｉ−１）における前記試験計測信号（ｍ−１）の中継時刻（ｔ１）と、前記受信装置（ｉ）における次の試験計測信号（ｍ）の受信時刻（Ｔ２）と、前記中継装置（ｉ−１）における次の試験計測信号（ｍ）の中継時刻（ｔ２）とを次の式
（Ｔ２−Ｔ１−ｔ２＋ｔ１）２
に当てはめることで得られる前記中継装置（ｉ−１）と前記受信装置（ｉ）との間の揺らぎ量，又はこのような揺らぎ量を前記中継装置（ｉ−１）及び前記受信装置（ｉ）についての中継時刻及び受信時刻の計測回数に応じて求めることで得られる揺らぎ量の平均値を、前記指標値として算出する。
好ましくは、第４の態様における算出手段は、前記送信装置（ｉ（ｉは整数））における試験計測信号（ｍ−１（ｍは整数））の中継時刻（Ｔ１）と、この中継装置ｉの直前に位置する送信装置（ｉ−１）における前記試験計測信号（ｍ−１）の送信時刻（ｔ１）と、前記中継装置（ｉ）における次の試験計測信号（ｍ）の中継時刻（Ｔ２）と、前記送信装置（ｉ−１）における次の試験計測信号（ｍ）の送信時刻（ｔ２）とを次の式
（Ｔ２−Ｔ１−ｔ２＋ｔ１）２
に当てはめることで得られる前記送信装置（ｉ−１）と前記中継装置（ｉ）との間の揺らぎ量，又はこのような揺らぎ量を前記送信装置（ｉ−１）及び前記中継装置（ｉ）についての送信時刻及び受信時刻の計測回数に応じて求めることで得られる揺らぎ量の平均値を、前記指標値として算出する。
好ましくは、第２〜４の態様における算出手段は、
前記受信手段で受信される前記所定回数の計測処理に応じた複数の試験ログ信号から、計測回数毎の送信時刻，中継時刻，受信時刻を含むレコードからなる計測ログテーブルを生成する計測ログテーブル生成手段と、
計測ログテーブルに設定された、連続する二つの計測回数における送信時刻，中継時刻，及び受信時刻に基づいて、前記送信装置と前記受信装置との間の各通信区間の揺らぎ量を算出する揺らぎ量算出手段と、
前記揺らぎ量算出手段で得られた揺らぎ量の平均値を求め、当該平均値と対応する通信区間の識別情報とを含むレコードからなる揺らぎ算出結果テーブルを生成する揺らぎ算出結果テーブル生成手段と、を含む。
好ましくは、第２〜４の態様は、送信装置と受信装置との間での前記試験計測信号の送受信の開始を前記送信装置に指示するための、受信装置の指定を含む試験開始指示信号を前記送信装置に送信する手段と、
前記送信装置で２回以上の所定回数の前記試験計測信号の送信処理が終了した場合に前記送信装置から送信されてくる試験終了通知信号を受信する手段とをさらに備え、
前記受信手段は、前記試験開始指示信号が送信されてから前記試験終了通知信号が受信されるまでの間、前記試験開始指示信号で指定された受信装置から送信されてくる送信時刻，受信時刻，及び中継時刻の少なくとも一つを前記受信手段で受け付ける。
好ましくは、第２〜４の態様における受信手段は、送信時刻，受信時刻，及び中継時刻の少なくとも一つの計測結果とともに、送信時刻，受信時刻，又は中継時刻を前記試験計測信号に設定した装置の識別情報を受信し、
前記出力手段は、前記指標値とこの指標値に対応する通信区間を構成する装置の識別情報を出力する。
【図面の簡単な説明】  図１は、実施形態による通信区間の品質の分析システムの構成例を示す図であり、
図２は、分析システムにおける計測方法（試験）の概要を示す図であり、
図３は、分析システムにおける計測（試験）シーケンスの例を示す図であり、
図４は、分析装置の構成例を示すブロック図であり、
図５は、送信装置の構成例を示すブロック図であり、
図６は、受信装置の構成例を示すブロック図であり、
図７は、中継装置の構成例を示すブロック図であり、
図８は、試験計測信号のフィールド構成例を示す図であり、
図９は、試験開始指示信号のフィールド構成例を示す図であり、
図１０は、試験呼設定信号のフィールド構成例を示す図であり、
図１１は、試験呼設定応答信号のフィールド構成例を示す図であり、
図１２は、試験ログ信号のフィールド構成例を示す図であり、
図１３は、通過試験装置数通知信号のフィールド構成例を示す図であり、
図１４は、送信装置で実行される試験計測信号の送信処理の例を示すフローチャートであり、
図１５は、中継装置で実行される試験計測信号の中継処理の例を示すフローチャートであり、
図１６は、受信装置で実行される試験計測信号の受信処理の例を示すフローチャートであり、
図１７は、分析装置で作成される計測ログテーブルのデータ構造の例を示す図であり、
図１８は、分析装置で作成される揺らぎ算出テーブルのデータ構造の例を示す図であり、
図１９は、揺らぎ量算出の原理の説明図であり、
図２０は、分析装置で実行される区間「揺らぎ」算出処理の例を示すフローチャートであり、
図２１は、分析装置で作成される揺らぎ算出結果テーブルのデータ構造の例を示す図であり、
図２２は、送信装置で実行される通過試験装置数通知信号の受信処理の例を示すフローチャートであり、
図２３は、分析装置で実行される試験開始指示信号の送信処理の例を示すフローチャートであり、
図２４は、送信装置で実行される試験開始指示信号の受信処理の例を示すフローチャートであり、
図２５は、受信装置で実行される試験呼設定信号の受信処理の例を示すフローチャートであり、
図２６は、分析装置で実行される試験ログ信号の受信処理の例を示すフローチャートであり、
図２７は、通過装置を明示する場合における、試験計測信号のフィールド構成例を示す図であり、
図２８は、通過装置に明示する場合における、試験ログ信号のフィールド構成例を示す図であり、
図２９は、通過装置を明示する場合における、送信装置で実行される試験計測信号の送信処理の例を示すフローチャートであり、
図３０は、通過装置を明示する場合における、中継装置で実行される試験計測信号の中継処理の例を示すフローチャートであり、
図３１は、通過装置を明示する場合における、受信装置で実行される試験計測信号の受信処理の例を示すフローチャートであり、
図３２は、通過装置を明示する場合における、計測ログテーブルのデータ構造の例を示す図であり、
図３３は、従来技術の説明図であり、
図３４は、従来技術の説明図である。
【発明を実施するための最良の形態】  以下、図面を参照して本発明を実施するための好適な実施の形態について説明する。実施の形態の構成は例示であり、本発明は実施の形態の構成に限定されない。
〈全体構成〉
図１は、本発明による通信パスの品質劣化区間検出システムの全体構成の例を示す図である。図１に示すシステムは、ＩＰ網を構成する複数のルータと、ＩＰ網と回線交換網（例えばＰＳＴＮ）との境界に設置されるＶｏＩＰゲートウェイと、回線交換網を介してＶｏＩＰゲートウェイに接続される通信端末としての電話機と、ＩＰ網を構成するＬＡＮ又はルータに接続される通信端末としてのＩＰ電話機と、ＩＰ網に接続される分析装置とを備えている。
図１に示すＩＰ網は、ルータＡ〜Ｆを含み、ＶｏＩＰゲートウェイＧＡ〜ＧＤが接続されている。また、電話機Ｔ１及びＴ２が、ＶｏＩＰゲートウェイＧＢ及びＧＡに夫々接続されている。また、ＩＰ電話機ＩＴ１がＬＡＮを介してルータＲＡに接続され、ＩＰ電話機ＩＴ２がルータＲＢに接続されている。そして、分析装置１０が、ルータＲＤ及びＲＦを収容するＬＡＮに収容されている。
ＶｏＩＰゲートウェイＧＡ〜ＧＤ，及びＩＰ電話機ＩＴ１，ＩＴ２は、夫々、本発明に係る「送信装置」及び「受信装置」としての機能を有するように構成される。各ルータＲＡ〜ＲＦは、本発明に係る「中継装置」としての機能を有するように構成される。但し、ルータに「送信装置」や「受信装置」としての機能を持たせることもできる。そして、分析装置１０は、本発明の「分析装置」としての機能を有するように構成される。
〈計測方法の概要〉
図２は、本発明に係る品質劣化区間を特定するための計測（試験）方法の概要の説明図である。図２には、「試験計測信号」が送信装置２０から受信装置３０へ「ルータ（Ｒｏｕｔｅｒ）＃１」、「ルータ＃２」、・・・「ルータ＃ｎ（ｎは自然数）」を経由して送られ、分析装置１０でログ化される概要が示されている。
図２では、音声の送信側のＩＰ電話機２０Ａが送信装置２０として機能し、受信側のＩＰ電話機３０Ａが受信装置３０として機能し、ＩＰ電話機２０Ａ−３０Ａ間で送受信されるパケットを中継するルータ＃１〜＃ｎの夫々が「中継装置」として機能する。
分析装置１０が通話（音声通信）に係る音声劣化区間を特定するために、音声情報の送信装置２０と受信装置３０との間で、試験計測信号を送受信し、受信装置３０がその試験計測信号を分析装置１０に通知し、分析装置１０がデータベースに蓄積（ログ化）する。
試験計測信号として、例えば、ＲＴＰパケット（ペイロードタイプ＝ｔｅｓｔ）を適用することができる。ＲＴＰパケットのペイロード用の領域（ペイロードエリア）には、カウンタの格納領域と、複数のタイムスタンプの格納領域とが用意される。
送信装置２０は、試験計測信号（ＲＴＰパケット）を送信する際に、そのＲＴＰパケットのペイロードに対し、送信時を示すタイムスタンプ（図２では“ＴｉｍｅＳｔａｍｐ＃０”）を格納し、次の受信ノード（ここではルータ＃１）へ転送する。各中継装置（各ルータ＃１〜＃ｎ）は、ＲＴＰパケットを中継する際に、そのペイロードの該当領域に通過時（中継時）を示すタイムスタンプを格納し、次の受信ノードに転送する。受信装置３０は、ＲＴＰパケットを受信すると、そのペイロードに受信時を示すタイムスタンプを格納し、分析装置１０に通知する。分析装置１０は、ＲＴＰパケットを受信すると、そのペイロードの内容をデータベース（記憶機能部１０６：図４）に蓄積（ログ化）する。分析装置１０は、ペイロードの内容を分析し、音声劣化区間を特定するための情報を生成する。
図２に示す例では、送信装置２０から受信装置３０との間で、例えばＶｏＩＰによる音声情報を送信装置２０から受信装置３０へ伝送するための通信パスが設定される。このとき、送信装置−ルータ＃１間，各ルータ間，ルータ＃ｎ−受信装置間は、夫々音声情報の通信区間を構成する。実施形態による分析装置１０は、送信装置２０と受信装置３０との間で試験計測信号を送受信するための通信パス（試験呼）を設定させ、試験（２回以上の試験計測信号の送受信）により得られるタイムスタンプ（送信時刻，中継時刻，受信時刻）の２回以上の計測結果から、各通信区間の揺らぎ量や揺らぎ量の平均値を各通信区間の品質の指標値として求め、この指標値を通信品質（音声品質等）の劣化が発生していると認められる区間の特定に供するために出力する。出力される指標値は、送信装置や受信装置のアドレスや、通信区間の始点又は終点に相当する各装置の識別情報とともに、提示（例えばディスプレイに表示）することができる。
〈計測シーケンス〉
図３は、計測シーケンスの例を示す図である。図３には、図２に示した送信装置２０，ルータ＃１〜＃ｎ，受信装置３０及び分析装置１０の動作例が示されている。
図３において、最初に、分析装置１０は、送信装置２０に対し、送信装置１０−受信装置２０間の音声通信用のパスに対するパケットの通過試験の開始指示を与える。この開始指示には、試験計測信号の送信回数（試験回数）が含まれている。
すると、送信装置２０は、受信装置３０に対し、試験用の呼の設定用信号（試験呼設定信号）を送信する。受信装置３０は、試験呼設定信号を受信すると、この信号に対応する試験呼設定応答信号を送信装置２０に送信する。これによって、試験呼が送信装置２０−受信装置３０間で設定される。
その後、送信装置２０は、受信装置３０宛に、試験計測信号を送信する。試験計測信号は、ルータ＃１〜＃ｎを経由して、受信装置３０に到達する。このとき、送信装置２０，ルータ＃１〜＃ｎ，及び受信装置３０では、試験計測信号（ＲＴＰパケット）の所定のエリアにタイムスタンプを格納する。そして、受信装置３０は、試験ログとして、ＲＴＰパケットのペイロードの内容を分析装置１０に通知する。
このとき、受信装置３０は、ＲＴＰパケットそのものを分析装置１０に通知しても良く、ＲＴＰパケットのペイロードを抽出して分析装置１０に通知しても良い。或いは、受信装置３０は、ＲＴＰパケットのペイロードの内容を分析装置１０で保存される記録形式に加工して通知するように構成されていても良い。
その後、受信装置３０は、ＲＴＰパケットのペイロードに格納されたタイムスタンプの数から、ＲＴＰパケットが通過した装置の数（通過試験装置数）を割り出し、この通過試験装置数を送信装置２０に通知する。
このような、送信装置２０による試験計測信号の送信から、受信装置３０による通過試験装置数の送信までの動作（「試験動作」という）は、分析装置１０からの開始指示に含まれた試験回数だけ、繰り返し行われる。
そして、試験動作が試験回数だけ行われると、送信装置２０は、試験呼の解放信号を受信装置３０に送信する。これによって、試験呼が解放される。試験呼が解放されると、送信装置２０は、分析装置１０に対し、試験終了を通知する。
〈分析装置〉
図４は、分析装置１０の構成例を示すブロック図である。分析装置１０は、パーソナルコンピュータ（ＰＣ）やワークステーション（ＷＳ）のような汎用のコンピュータ，専用のコンピュータ，専用のサーバマシン等のコンピュータを用いて構成することができる。
図４に示すように、分析装置１０は、制御部１０１と、制御部１０１に接続される入力機能部１０２，表示機能部１０３，通信機能部１０４，時計機能部１０５，及び記憶機能部１０６とを備える。
入力機能部１０２は、送信装置２０や受信装置３０等の試験条件等を人により指定するための機能部位である。入力機能部１０２は、例えば、キーボード（ボタンやキーを含む）やポインティングデバイス（マウス等）を用いて実現される。
表示機能部１０３は、試験条件や試験結果を人により確認するための機能部位である。表示機能部１０３は、ディスプレイ装置を用いて実現される。
通信機能部１０４は、送信装置２０、受信装置３０、ネットワークで接続されたその他の装置と通信するための機能部位である。通信機能部１０４は、ＬＡＮインターフェイス等のＩＰ網に対する接続（アクセス）形式に応じたネットワークインターフェイス回路を用いて実現される。
記憶機能部１０６は、プログラムや分析に必要な各種データを記憶する機能部位である。記憶機能部１０６は、ＲＡＭやハードディスクのような読み書き可能な記録媒体を用いて構成される。
記憶機能部１０６は、プログラムの格納領域の他、計測ログテーブル１０６ａ（図１７），揺らぎ算出テーブル１０６ｂ（図１８），揺らぎ算出結果テーブル１０６ｃ（図２１），試験計測信号送信数，送信装置アドレス，受信装置アドレス，試験ログ（試験Ｌｏｇ）通知先アドレスを夫々格納するための格納領域１０６Ａ〜１０６Ｇを有している。
時計機能部１０５は、時刻計数を行う機能部位である。時計機能部は、時刻を計時する。
制御部１０１は、ＣＰＵ等のプロセッサ，メインメモリ（ＲＡＭ等），ＲＯＭ，周辺装置に対する入出力ユニットやデバイスドライバ等で構成される。制御部１０１は、記憶機能部１０６に格納されたプログラムを実行することによって、入力機能部１０２，表示機能部１０３，通信機能部１０４，時計機能部１０５，記憶機能部１０６を制御し、分析装置１０の機能を実現する。なお、制御部１０１は、専用のハードウェアロジック回路で実現することも可能である。
制御部１０１が、本発明における受信手段，算出手段（計測ログテーブル生成手段，揺らぎ量算出手段，揺らぎ算出結果テーブル生成手段），及び出力手段に相当する。
〈送信装置〉
図５は、送信装置２０の構成例２を示すブロック図である。送信装置２０は、ＩＰ電話機やＶｏＩＰゲートウェイとして機能する専用の装置又はコンピュータ、或いはＰＣ，ＷＳ，ＰＤＡ（Ｐｅｒｓｏｎａｌ  Ｄｉｇｉｔａｌ  Ａｓｓｉｔａｎｔｓ）のような汎用のコンピュータを用いて構成することができる。
図５に示すように、送信装置２０は、制御部２０１と、制御部２０１に接続される入力機能部２０２，表示機能部２０３，通信機能部２０４，時計機能部２０５，及び記憶機能部１０６とを備える。
入力機能部２０２は、送信装置２０の動作条件を人により指定するための機能部位である。入力機能部２０２は、例えば、ボタンやキーを含むキーボードやポインティングデバイス（マウス等）を用いて実現される。
表示機能部２０３は、送信装置２０の動作条件や様々なデータを人により確認するための機能部位である。表示機能部１０３は、ディスプレイ装置を用いて構成される。
通信機能部２０４は、分析装置１０、受信装置３０、中継装置、ネットワークで接続されたその他の装置と通信するための機能部位である。通信機能部２０４は、ＬＡＮインターフェイス等のＩＰ網に対する接続（アクセス）形式に応じたネットワークインターフェイス回路を用いて実現される。
記憶機能部２０６は、プログラムや分析に必要な各種データを記憶する機能部位である。記憶機能部２０６は、ＲＡＭやハードディスクのような読み書き可能な記録媒体を用いて構成される。
記憶機能部２０６は、プログラムの格納領域の他、試験信号送信間隔，通過試験装置数，試験計測信号送信数，分析装置アドレス，自装置アドレス，受信装置アドレス，及び受信ポートの識別情報（受信ポート番号）を夫々格納するための格納領域２０６Ａ〜２０６Ｇを有している。
時計機能部２０５は、時刻計数を行う機能部位であり、現在時刻の計時を行う。
制御部２０１は、ＣＰＵ等のプロセッサ，メインメモリ（ＲＡＭ等），ＲＯＭ，周辺装置に対する入出力ユニットやデバイスドライバ等で構成される。制御部２０１は、記憶機能部１０６に格納されたプログラムを実行することによって、入力機能部２０２，表示機能部２０３，通信機能部２０４，時計機能部２０５，記憶機能部２０６を制御し、送信装置２０の機能を実現する。なお、制御部２０１は、専用のハードウェアロジック回路で実現することも可能である。
〈受信装置〉
図６は、受信装置３０の構成例を示すブロック図である。送信装置２０は、ＩＰ電話機やＶｏＩＰゲートウェイとして機能する専用の装置又はコンピュータ、或いはＰＣ，ＷＳ，ＰＤＡ（Ｐｅｒｓｏｎａｌ  Ｄｉｇｉｔａｌ  Ａｓｓｉｔａｎｔｓ）のような汎用のコンピュータを用いて構成することができる。
図６に示すように、受信装置３０は、制御部３０１と、制御部３０１に接続される入力機能部３０２，表示機能部３０３，通信機能部３０４，時計機能部３０５，及び記憶機能部３０６とを備える。
入力機能部３０２は、受信装置３０の動作条件を人により指定するための機能部位である。入力機能部３０２は、例えば、ボタンやキーを含むキーボードやポインティングデバイス（マウス等）を用いて実現される。
表示機能部３０３は、受信装置３０の動作条件や様々なデータを人により確認するための機能部位である。表示機能部３０３は、ディスプレイ装置を用いて構成される。
通信機能部３０４は、分析装置１０、送信装置２０、中継装置、ネットワークで接続されたその他の装置と通信するための機能部位である。通信機能部３０４は、ＬＡＮインターフェイス等のＩＰ網に対する接続（アクセス）形式に応じたネットワークインターフェイス回路を用いて実現される。
時計機能部３０５は、時刻計数を行う機能部位であり、現在時刻の計時を行う。
記憶機能部３０６は、プログラムや分析に必要な各種データを記憶する機能部位である。記憶機能部３０６は、ＲＡＭやハードディスクのような読み書き可能な記録媒体を用いて構成される。
記憶機能部３０６は、プログラムの格納領域の他、試験ログ通知先アドレス，送信装置アドレス，自装置アドレス，受信ポートの識別情報（受信ポート番号）を夫々記憶するための格納領域３０６Ａ〜３０６Ｇを有している。
制御部３０１は、ＣＰＵ等のプロセッサ，メインメモリ（ＲＡＭ等），ＲＯＭ，周辺装置に対する入出力ユニットやデバイスドライバ等で構成される。制御部３０１は、記憶機能部３０６に格納されたプログラムを実行することによって、入力機能部３０２，表示機能部３０３，通信機能部３０４，記憶機能部３０６を制御し、受信装置３０の機能を実現する。なお、制御部３０１は、専用のハードウェアロジック回路で実現することも可能である。
なお、送信装置２０又は受信装置３０として機能する装置（例えば、ＩＰ電話端末やＶｏＩＰゲートウェイ）は、送信装置２０と受信装置３０との双方の機能を併せ持つように構成することができる。
〈中継装置〉
図７は、中継装置４０の構成例を示すブロック図である。中継装置４０は、例えば、ルータ装置を用いて構成される。図７に示すように、中継装置４０は、制御部４０１，入力機能部４０２，表示機能部４０３，通信機能部４０４，時計機能部４０５，記憶機能部４０６を備えている。
入力機能部４０２は、中継装置４０の動作条件を人により指定するための機能部位である。入力機能部４０２は、例えば、ボタンやキーを含むキーボードやポインティングデバイス（マウス等）を用いて実現することができる。
表示機能部４０３は、中継装置３０の動作条件や様々なデータを人により確認するための機能部位である。表示機能部４０３は、ディスプレイ装置を用いて構成することができる。
通信機能部４０４は、分析装置１０、送信装置２０、受信装置３０、ネットワークで接続されたその他の装置と通信するための機能部位である。通信機能部４０４は、ＬＡＮインターフェイス等の接続先のネットワークのプロトコルに従ったネットワークインターフェイス回路を用いて実現される。
時計機能部４０５は、時刻計数を行う機能部位である。
記憶機能部４０６は、プログラムや分析に必要な各種データを記憶する機能部位である。記憶機能部４０６は、ＲＡＭやハードディスクのような読み書き可能な記録媒体を用いて構成される。
制御部４０１は、ＣＰＵ等のプロセッサ，メインメモリ（ＲＡＭ等），ＲＯＭ，周辺装置に対する入出力ユニットやデバイスドライバ等で構成される。制御部４０１は、記憶機能部４０６に格納されたプログラムを実行することによって、入力機能部４０２，表示機能部４０３，通信機能部４０４，時計機能部４０５，記憶機能部４０６を制御し、中継装置４０の機能を実現する。なお、制御部４０１は、専用のハードウェアロジック回路で実現することも可能である。
〈試験計測信号の構成〉
図８は、試験計測信号のフィールド構成例を示す図である。上述したように、試験計測信号として、ペイロードタイプが“テスト”のＲＴＰパケットを試験計測信号として適用することができる。
ＲＴＰパケットのペイロード用のエリアには、シーケンス番号（ＳＱＮ），カウンタ（Ｃｏｕｎｔｅｒ），スタートカウンタ（ＳｔａｒｔＣｏｕｎｔｅｒ），複数のタイムスタンプ（ＴｉｍｅＳｔａｍｐ＃０〜＃Ｌ（Ｌは自然数））を格納するためのフィールドが用意される。ここで、“Ｌ”は、試験計測信号へのタイムスタンプの設定可能数から１を減じた値（設定可能数−１）となる定数である。
ここに、シーケンス番号は、個々の試験計測信号を識別するための識別情報であり、試験計測信号の重複受信を検出するために利用される。
カウンタの値は、中継装置４０で試験計測信号が中継される都度、カウントアップされる。カウンタの値は、各中継装置４０で、タイムスタンプの設定位置を特定するために利用される。
スタートカウンタとして、送信装置２０と受信装置３０との間のどこからタイムスタンプの設定を開始するかを示す値が設定される。スタートカウンタの値は、カウンタの値とともに用いられ、各中継装置４０でタイムスタンプの設定位置を特定するために利用される。
タイムスタンプは、試験計測信号の送信装置２０における送信時刻，各中継装置４０の通過時刻，受信装置３０における受信時刻を示す情報である。タイムスタンプは、計測対象の区間の内容に応じて、送信装置２０，中継装置４０，受信装置３０で設定される。
〈試験開始指示信号の構成〉
図９は、試験開始指示信号のフィールド構成例を示す図である。試験開始指示信号は、受信装置アドレスと、試験ログ通知先アドレスとを夫々格納するためのフィールドを有する。
受信装置アドレスは、試験計測信号の送信先に該当する受信装置３０のアドレスである。受信装置アドレスは、送信装置２０に対して試験計測信号の送信先の受信装置３０を指定するために利用される。
試験ログ通知先アドレスは、分析装置１０のアドレスである。試験ログ通知先アドレスは、試験ログ信号の送信先に該当する分析装置１０を指定するために利用される。
〈試験呼設定信号の構成〉
図１０は、試験呼設定信号のフィールド構成例を示す図である。試験呼設定信号は、送信装置アドレスと、試験ログ通知先アドレスとを夫々格納するためのフィールドを有する。
送信装置アドレスは、送信装置２０のアドレスであり、試験計測信号の送信元の送信装置２０を明示するために利用される。試験ログ通知先アドレスは、分析装置１０のアドレスであり、試験Ｌｏｇ信号の送信先に該当する分析装置１０を指定するために利用される。
〈試験呼設定応答信号の構成〉
図１１は、試験呼設定応答信号のフィールド構成例を示す図である。試験呼設定応答信号は、受信ポートの識別情報（受信ポート番号）を格納するフィールドを含んでいる。
受信ポート番号は、試験計測信号の送信先に該当する受信装置３０が試験計測信号を待ち受ける受信ポートを明示するために利用される。
〈試験ログ信号の構成〉
図１２は、試験ログ信号のフィールド構成例を示す図である。試験ログ信号は、送信装置アドレス，受信装置アドレス，シーケンス番号（ＳＱＮ），カウンタ（Ｃｏｕｎｔｅｒ），スタートカウンタ（ＳｔａｒｔＣｏｕｎｔｅｒ），及び中継装置４０の数に応じた数のタイムスタンプ（ＴｉｍｅＳｔａｍｐ）を格納するためのフィールドを含む。
送信装置アドレスは、送信装置２０のアドレスであり、試験計測信号の送信元の送信装置２０を明示するために利用される。受信装置アドレスは、受信装置３０のアドレスであり、試験計測信号の送信先の受信装置３０を明示するために利用される。
“ＳＱＮ”、“Ｃｏｕｎｔｅｒ”、“ＳｔｒａｔＣｏｕｎｔｅｒ”、“ＴｉｍｅＳｔａｍｐ”は、試験計測信号の対応する（試験計測信号に含まれた）“ＳＱＮ”、“Ｃｏｕｎｔｅｒ”、“ＳｔｒａｔＣｏｕｎｔｅｒ”、“ＴｉｍｅＳｔａｍｐ”を試験ログ信号に設定する（格納する）ために利用される。
〈通過試験装置数通知信号の構成〉
図１３は、通過試験装置数通知信号のフィールド構成例を示す図である。通過試験装置数通知信号は、中継装置数を格納するためのフィールドを含む。中継装置数は、試験計測信号が経由（通過）した中継装置４０の個数を明示するために利用される。
〈試験計測信号の送信処理〉
図１４は、送信装置２０での試験計測信号の送信処理の例を示すフローチャートである。この送信処理は、送信装置２０の制御部２０１（図５）が記憶機能部２０６に格納されたプログラムを実行することによって行われる。送信処理は、分析装置１０からの試験開始指示信号に基づく試験呼の設定の後（図３参照）に開始される。
図１４において、最初に、制御部２０１は、変数“ｋ”の値を零に設定するとともに、通過試験装置数の値を零に設定する（Ｓ００１）。
次に、制御部２０１は、記憶機能部２０６の格納領域２０６Ｂに格納されている通過試験装置数を参照し、“ｋ＊Ｌ≦通過試験装置数”の条件が満たされるか否かを判定する（Ｓ００２）。このとき、上記条件が満たされる間は、以下のＳ００３〜Ｓ０１３の処理が繰り返して行われる。なお、試験呼が設定された直後の状態（Ｓ００１が終了した状態）では、通過試験装置数２０６Ｂの値は零となっている。
次に、制御部２０１は、変数“ｍ”の値を零に設定する（Ｓ００３）。
次に、制御部２０１は、記憶機能部２０６にの格納領域２０３Ｃに格納されている試験計測信号送信数を参照し、“ｍ≦試験計測信号送信数”の条件が満たされるか否かを判定する（Ｓ００４）。このとき、上記条件が満たされる間は、以下のＳ００５〜Ｓ０１２の処理が繰り返して行われる。なお、Ｓ００３が終了した状態では、格納領域２０６Ｃには、分析装置１０から通知された試験計測信号送信数の値が設定された状態となっている。
次に、制御部２０１は、試験計測信号（ＲＴＰパケット）のペイロードエリアにおけるカウンタのフィールドに零を設定する（Ｓ００５）。
次に、制御部２０１は、試験計測信号のペイロードエリアにおけるシーケンス番号のフィールドに現在の変数“ｍ”の値を設定する（Ｓ００６）。
次に、制御部２０１は、試験計測信号のペイロードエリアにおけるスタートカウンタのフィールドに現在の“ｋ＊Ｌ”の値を設定する（Ｓ００７）。
次に、制御部２０１は、現在の変数“ｋ”の値が零か否かを判定する（Ｓ００８）。このとき、変数“ｋ”の値が零でない場合（Ｓ００８；ｋ≠０）には、処理がＳ０１０に進み、そうでない場合（Ｓ００８；ｋ＝０）には、処理がＳ００９に進む。
Ｓ００９では、制御部２０１は、試験計測信号のペイロードエリアにおける最初のタイムスタンプの格納位置（ＴｉｍｅＳｔａｍｐ＃０）に、時計機能部２０５から得られる現在時刻を設定する。
Ｓ０１０では、制御部２０１は、記憶機能部２０６の格納領域２０６Ｆに格納されている受信装置アドレスと、格納領域２０６Ｇに格納されている受信ポート番号とを読み出して試験計測信号に設定し、通信機能部２０４から受信装置３０へ向けて送出する。
そして、制御部２０１は、記憶機能部２０６の格納領域２０６Ａに格納されている試験信号送信間隔に示される期間、処理を中断する（Ｓ０１１）。
その後、試験信号送信間隔が経過すると、制御部２０１は、変数“ｍ”に１を加算し（Ｓ０１２）、処理をＳ００４に戻す。このとき、制御部２０１は、“ｍ≦試験計測信号送信数”が満たされない場合には、処理をＳ０１３に進める。以上の処理によって、送信装置２０は、試験計測信号送信数２０６Ｃに示される規定回数だけ、試験計測信号を送信することになる。
Ｓ０１３では、制御部２０１は、変数“ｋ”の値に１を加え、処理をＳ００２に戻す。Ｓ００２において、制御部２０１は、再び“ｋ＊Ｌ≦通過試験装置数”の条件が満たされるか否かを判定する。但し、再度のＳ００２の判定処理で参照される通過試験装置数の値（格納領域２０６Ｂに設定されている値）は、受信装置３０から送信装置２０に通知された通過試験装置数となっている。そして、当該条件が満たされない場合には、制御装置２０１は、この試験計測信号の送信処理を終了する。
なお、スタートカウンタの値として設定される“ｋ＊Ｌ”の値は、試験計測信号の通過試験装置数（試験計測信号が通過する中継装置４０の数ｎ：受信装置３０を含むとｎ＋１）が定数“Ｌ”以上である場合を想定して設定される。
即ち、通過試験装置数が定数“Ｌ”以上である場合には、送信装置２０を“０”とし、そこから“Ｌ”の位置までに存在する中継装置４０までを対象とするＳ００３〜Ｓ０１２の処理（ｋ＝０）が行われる。その後、“Ｌ”の位置に存する中継装置４０から“２Ｌ”の位置に存在する中継装置４０（受信装置３０が含まれる場合もある）までを対象としたＳ００３〜Ｓ０１２の処理（ｋ＝１）が行われる。このようにして、Ｓ００２の条件（ｋ＊Ｌ≦通過試験装置数）が満たされなくなるまでＳ００３〜Ｓ０１２の処理が繰り返して行われる。すると、送信装置２０と受信装置３０との間（音声パス上）に存在する全ての装置（送信装置２０，受信装置３０及び中継装置４０）のタイムスタンプを得ることができる。
〈試験計測信号の中継処理〉
図１５は、中継処理４０での試験計測信号の中継処理の例を示すフローチャートである。この中継処理は、中継装置４０の制御部４０１（図７）が記憶機能部４０６に格納されたプログラムを実行することによって行われる。この中継処理は、中継装置４０が試験計測信号を通信機能部４０４で受信した場合に開始される。
図１５において、最初に、制御部４０１は、試験計測信号のペイロードのカウンタ値のフィールドを参照し、変数“ｉ”の値をこのカウンタ値で示される値に設定する（Ｓ１０１）。
次に、制御部４０１は、変数“ｉ“の値に１を加算する（Ｓ１０２）。
次に、制御部４０１は、試験計測信号のカウンタの値に変数“ｉ”の値を設定する（Ｓ１０３）。
次に、制御部４０１は、変数“ｉ”の値が次の条件を満たすか否かを判定する（Ｓ１０４）。
“試験計測信号のスタートカウンタの値  ≦  ｉ  ≦  試験計測信号のスタートカウンタの値＋Ｌ”
このとき、変数“ｉ”の値が上記条件を満たす場合（「試験計測信号」．［ＳｔａｒｔＣｏｕｎｔｅｒ］≦ｉ≦「試験計測信号」．［ＳｔａｒｔＣｏｕｎｔｅｒ］＋Ｌ）には、制御部４０１は、現在の“ｉ”の値に対応するタイムスタンプの格納フィールド（［ＴｉｎｅＳｔａｍｐ＃ｉ］）に対し、時計機能部４０５から得られる現在時刻を設定する（Ｓ１０５）。そして、処理がＳ１０６に進む。
これに対し、変数“ｉ”の値が上記条件を満たさない場合（Ｓ１０４；ＮＯ）には、処理がＳ１０６に進む。即ち、タイムスタンプは設定されない。当該中継装置４０がこの試験計測信号にタイムスタンプを設定するためのフィールドが残されていないからである。
Ｓ１０６では、制御部４０１は、試験計測信号を通信機能部４０４から受信装置３０へ向けて送信する。そして、この中継処理を終了する。
〈試験計測信号の受信処理〉
図１６は、受信装置３０での試験計測信号の受信処理の例を示すフローチャートである。この受信処理は、受信装置３０の制御部３０１（図６）が記憶機能部３０６に格納されたプログラムを実行することによって行われる。受信処理は、受信装置３０が試験計測信号を通信機能部３０４の指定受信ポートでで受信した場合に開始される。
図１６において、最初に、制御部３０１は、変数ｉの値を試験計測信号のカウンタのフィールドに格納された値に設定する（Ｓ２０１）。
次に、制御部３０１は、変数“ｉ”の値に１を加算する（Ｓ２０２）。
次に、制御部３０１は、通過試験装置数通過信号の中継装置数のフィールドに対し、変数“ｉ”の値を設定する（Ｓ２０３）。
次に、制御部３０１は、記憶機能部３０６の格納領域３０６Ｂに格納されている送信装置アドレスを読み出して通過試験装置数通過信号に設定し、送信装置２０宛で通信機能部３０４から送信する（Ｓ２０４）。
次に、制御部３０１は、変数“ｉ”の値が次の条件を満たすか否かを判定する（Ｓ２０５）。
“試験計測信号のスタートカウンタの値  ≦  ｉ  ≦  試験計測信号のスタートカウンタの値＋Ｌ”
このとき、変数“ｉ”の値が上記条件を満たす場合（「試験計測信号」．［ＳｔａｒｔＣｏｕｎｔｅｒ］≦ｉ≦「試験計測信号」．［ＳｔａｒｔＣｏｕｎｔｅｒ］＋Ｌ）には、制御部３０１は、現在のｉの値に対応するタイムスタンプの格納フィールド（［ＴｉｎｅＳｔａｍｐ＃ｉ］）に対し、時計機能部３０５から得られる現在時刻を設定する（Ｓ２０６）。そして、処理がＳ２０７に進む。
これに対し、変数“ｉ”の値が上記条件を満たさない場合（Ｓ２０５；ＮＯ）には、処理がＳ２０７に進む。即ち、タイムスタンプは設定されない。受信装置３０がこの試験計測信号に対してタイムスタンプを設定するためのフィールドが残されていないためである。
Ｓ２０７では、制御部３０１は、試験計測信号のカウンタのフィールドに対し、現在の変数“ｉ”の値を設定する。
次に、制御部３０１は、試験計測信号をもとに試験ログ信号（図１２）を編集する（Ｓ２０８）。
次に、制御部３０１は、記憶機能部３０６の格納領域３０６Ｂに格納されている送信装置アドレスを読み出し、試験ログ信号の送信装置アドレスのフィールドに設定する（Ｓ２０９）。
次に、制御部３０１は、記憶機能部３０６の格納領域３０６Ｃに格納されている自装置アドレスを読み出し、試験ログ信号の受信装置アドレスのフィールドに設定する（Ｓ２１０）。
最後に、制御部３０１は、記憶機能部３０６の格納領域３０６Ａに格納されている試験ログ通知先アドレスを読み出して試験ログ信号に設定し、分析装置１０宛に通信機能部３０４から送信する（Ｓ２１１）。そして、当該処理を終了する。
〈計測ログテーブルの構成〉
図１７は、分析装置１０の記憶機能部１０６の格納領域１０６Ａに格納される計測ログテーブル１０６ａの構成例を示す図である。図１７に示すように、計測ログテーブル１０６ａは、“送信装置アドレス”，“受信装置アドレス”，“シーケンス番号（ＳＱＮ）”，“カウンタ（Ｃｏｕｎｔｅｒ）”，“スタートカウンタ（ＳｔａｒｔＣｏｕｎｔｅｒ）”，“タイムスタンプ＃０〜＃Ｌ（ＴｉｍｅＳｔａｍｐ＃０−＃Ｌ）”の各項目を含む複数のレコードから構成される。
計測ログテーブル１０６ａにおける“送信装置アドレス”、“受信装置アドレス”、“ＳＱＮ”、“Ｃｏｕｎｔｅｒ”、“ＳｔｒａｔＣｏｕｎｔｅｒ”、及び“ＴｉｍｅＳｔａｍｐ”の各フィールドは、試験ログ信号に含まれた対応する［送信装置アドレス］、［受信装置アドレス］、［ＳＱＮ］、［Ｃｏｕｎｔｅｒ］、［ＳｔｒａｔＣｏｕｎｔｅｒ］、及び［ＴｉｍｅＳｔａｍｐ］をテーブル１０６Ａ内に設定（格納）するために利用される。
分析装置１０の制御部１０１は、受信装置３０からの試験ログ信号が通信機能部３０４で受信された場合に、その試験ログ信号に含まれた情報を計測ログテーブル１０６ａに書き込む。
なお、図１７では、送信装置アドレスとして送信装置２０のアドレス“Ａ”が格納され、受信装置アドレスとして受信装置３０のアドレス“Ｂ”が格納されている。また、シーケンス番号として、試験計測信号送信数に応じた“０”〜“ｍ”の値が格納される。また、カウンタの値として、中継装置４０に受信装置３０を加えた“ｎ＋１”が格納される。また、スタートカウンタの値として、“０（ｋ＝０）”，“Ｌ（ｋ＝１）”，“ｋ＊Ｌ（ｋ＝２，３，・・・）”を示す値が格納される。そして、タイムスタンプとして、送信装置２０における送信時刻，中継装置４０の通過時刻，受信装置３０による受信時刻が夫々格納される。
〈揺らぎ算出テーブル〉
図１８は、分析装置１０の記憶機能部１０６の格納領域１０６Ｂに格納される揺らぎ算出テーブル１０６ｂの構成例を示す図である、図１８に示すように、揺らぎ算出テーブル１０６ｂは、“送信装置アドレス”，“受信装置アドレス”，“時間ＩＤ”，“区間ＩＤ”，及び“揺らぎ量”の各項目を格納する領域を有し、これらの項目を含む複数のレコードを格納する。
ここに、“送信装置アドレス”は、送信装置２０のアドレスであり、試験計測信号の送信元の送信装置２０を識別するために利用される。“受信装置アドレス”は、受信装置３０のアドレスであり、試験計測信号の送信先の受信装置３０を識別するために利用される。時間ＩＤは、或る１つの試験計測信号とその直前の試験計測信号との送信間隔に相当する時間区間を特定するための時間区間の識別情報である。区間ＩＤは、１つの中継装置４０（又は受信装置３０）とその直前に存する中継装置４０（又は送信装置２０）との間の中継区間を特定する識別情報であり、中継区間を識別するために利用される。“揺らぎ量”は、時間ＩＤ及び区間ＩＤに対応する揺らぎ量である。この揺らぎ量は、図１９に示す算出原理に基づいて算出される計算結果である。
〈揺らぎ量の算出原理〉
図１９は、揺らぎ量の算出原理の説明図である。図１９には、ルータ＃ｉ−１とルータ＃ｉとの間の揺らぎ量を算出する場合が示されている。図１９において、［ｔ１］は、ルータ＃ｉ−１での“試験計測信号（ＳＱＮ＝ｍ−１）”の送信時刻である。［ｔ２］は、ルータ＃ｉ−１での“試験計測信号（ＳＱＮ＝ｍ）”の送信時刻である。［Ｔ１］は、ルータ＃ｉでの“試験計測信号（ＳＱＮ＝ｍ−１）”の受信時刻である。［Ｔ２］は、ルータ＃ｉでの“試験計測信号（ＳＱＮ＝ｍ）”の受信時刻である。
また、［Ｔ］は、“試験計測信号（ＳＱＮ＝ｍ）”が“試験計測信号（ＳＱＮ＝ｍ−１）”と同程度遅延したと仮定した場合のルータ＃ｉでの受信予想時刻（到着予定時刻）である。［ρ］は、“試験計測信号（ＳＱＮ＝ｍ−１）”を基準とした“試験計測信号（ＳＱＮ＝ｍ）”の揺らぎ量であり、［Ｔ２］と［Ｔ］の時間差である。
さらに、［ΔＴ］は、ルータ＃ｉ−１からルータ＃ｉへの試験計測信号の平均到達遅延時間である。［ρ１］は、“試験計測信号（ＳＱＮ＝ｍ−１）”の到達遅延揺らぎ時間である。［ρ２］は、“試験計測信号（ＳＱＮ＝ｍ）”の到達遅延揺らぎ時間である。
ここに、「ρ＝ρ２−ρ１」であり、ゆえに「ρ＝Ｔ２−Ｔ＝Ｔ２−Ｔ１＋ｔ１−ｔ２」により「揺らぎ量」を評価（算出）することができる。
〈揺らぎ算出処理〉
図２０は、分析装置１０による各区間の揺らぎ算出処理の例を示すフローチャートである。図２０には、図１８に示したような送信装置アドレス“Ａ”且つ受信装置アドレス“Ｂ”のレコードについて揺らぎ量を算出する場合の処理が示されている。この算出処理は、分析装置１０の制御部１０１（図４）がプログラムを実行することによって行われる。また、この算出処理は、図３に示したような送信装置２０と受信装置３０との間の計測シーケンス（試験）が終了し、分析装置１０にて当該試験に基づく試験ログテーブル１０６ａ（図１７）が作成された後に開始される。
図２０において、最初に、制御部１０１は、変数“ｋ”の値を零に設定する（Ｓ３０１）。
次に、制御部１０１は、“ｋ＊Ｌ≦（試験ログテーブル１０６ａのスタートカウンタの最大値）”の条件が満たされるか否かを判定し（Ｓ３０２）、この条件が満たされる間、以下のＳ３０３〜Ｓ３１５の処理を繰り返し行う。これに対し、この条件が満たされなくなると、制御部１０１は、揺らぎ算出処理を終了する。
Ｓ３０３では、制御部１０１は、変数“ｍ”の値を１に設定する（Ｓ３０３）。
次に、制御部１０１は、記憶機能部１０６から試験計測信号送信数１０６Ｄを読み出し、“ｍ≦試験計測信号送信数”の条件が満たされるか否かを判定し（Ｓ３０４）、この条件が満たされる間、以下のＳ３０５〜Ｓ３１４の処理を繰り返し行う。
Ｓ３０５では、制御部１０１は、変数“ｉ”の値を１に設定する。
次に、制御部１０１は、“ｉ≦Ｌ”の条件が満たされるか否かを判定し（Ｓ３０６）、この条件が満たされる間、以下のＳ３０７〜Ｓ３１３の処理を繰り返し行う。
Ｓ３０７では、制御部１０１は、上記原理で定義した“Ｔ２”の値として、現在の変数“ｍ”の値に対応するシーケンス番号（ＳＱＮ）を持ち、且つ現在の変数“ｉ”の値に対応する装置（中継装置４０又は受信装置３０）のタイムスタンプを試験ログテーブル１０６ａから得る。
次に、制御部１０１は、上記原理で定義した“Ｔ１”の値として、現在の変数“ｍ”から１を減じた値に対応するシーケンス番号を持ち、且つ現在の変数“ｉ”の値に対応する装置（中継装置４０又は受信装置３０）のタイムスタンプを試験ログテーブル１０６ａから得る（Ｓ３０８）。
次に、制御部１０１は、上記原理で定義した“ｔ２”の値として、現在の変数“ｍ”の値に対応するシーケンス番号（ＳＱＮ）を持ち、且つ現在の変数“ｉ”から１を減じた値に対応する装置（中継装置４０又は送信装置２０）のタイムスタンプを試験ログテーブル１０６ａから得る。
次に、制御部１０１は、上記原理で定義した“ｔ１”の値として、現在の変数“ｍ”から１を減じた値に対応するシーケンス番号を持ち、且つ現在の変数“ｉ”から１を減じた値に対応する装置（中継装置４０又は送信装置２０）のタイムスタンプを試験ログテーブル１０６ａから得る（Ｓ３０８）。
次に、制御部１０１は、“Ｔ２”，“Ｔ１”，“ｔ２”，“ｔ１”の各値が全て有効値であるか否かを判定する（Ｓ３１１）。このとき、これらの値の全てが有効値であれば（Ｓ３１１；ＹＥＳ）、処理がＳ３１２に進み、そうでなければ（Ｓ３１１；ＮＯ）、処理がＳ３１３に進む。
Ｓ３１２では、制御部１０１は、揺らぎ算出テーブル１０６ｂ（図１８）の送信装置アドレス“Ａ”且つ受信装置アドレス“Ｂ”のレコードに対し、現在の変数“ｍ”の値を時間ＩＤとして設定（格納）するとともに、現在の“ｋ＊Ｌ”に現在の“ｉ”を加えた値を区間ＩＤとして設定（格納）する。さらに、制御部１０１は、Ｓ３０７〜Ｓ３１０で得られた“Ｔ２”，“Ｔ１”，“ｔ２”，“ｔ１”の値を“（Ｔ２−Ｔ１−ｔ２＋ｔ１）２”の揺らぎ量の算出式に代入して揺らぎ量を算出し、該当レコードに設定（格納）する。
Ｓ３１３では、制御部１０１は、変数“ｉ”の値に１を加えて、処理をＳ３０６に戻す。Ｓ３０５で“ｉ≦Ｌ”の条件が満たされなくなった場合には、制御部１０１は、変数“ｍ”に１を加え（Ｓ３１４）、処理をＳ３０４に戻す。Ｓ３０４で条件が満たされなくなった場合には、制御部１０１は、変数“ｋ”に１を加え（Ｓ３１５）、処理をＳ３０２に戻す。
以上のように、各区間の揺らぎ量が図１９に示す原理に基づいて上述したような処理により算出される。従って、区間の始点及び終点における各装置間で、時計機能部より得られる時刻を合わせておく必要がない。
〈揺らぎ量算出結果テーブルの構成〉
図２１は、分析装置１０の記憶機能部１０６の格納領域１０６Ｃに作成される揺らぎ量算出結果テーブル１０６ｃの構成例である。揺らぎ量算出結果テーブル１０６ｃは、“送信装置アドレス”，“受信装置アドレス”，“区間ＩＤ”及び“揺らぎ量の平均”の各項目を含む複数のレコードを保持するように構成されており、レコード毎に、レコードの各項目を格納するためのフィールドを有している。
“送信装置アドレス”は、試験対象の送信装置２０のアドレスであり、試験計測信号の送信元の送信装置２０を識別するために利用される。“受信装置アドレス”は、試験対象の受信装置３０のアドレスであり、試験計測信号の送信先の受信装置３０を識別するために利用される。“区間ＩＤ”は、１つの中継装置４０（又は受信装置３０）とその直前の中継装置４０（又は送信装置２０）との中継区間を識別するために利用される。“揺らぎ量の平均”は、“区間ＩＤ”に対応する揺らぎ算出テーブル１０６ｂ（図１８）に格納された“揺らぎ量”の平均値である。
揺らぎ量算出結果テーブル１０６ｃに対する各項目の書込処理は、制御部１０１によって、上述した揺らぎ算出処理（図２０）が終了した後に行われる。制御部１０１は、自動的に、又は入力機能部１０２からの指示に基づいて、揺らぎ算出結果テーブル１０６ｃに格納されたレコードを“揺らぎ量の平均”の値が大きい順で並び替えることができる。これによって、複数のレコードが音声劣化の大きい区間順で整列される。
制御部１０１は、揺らぎ算出結果テーブル１０６ｃの格納内容（複数のレコード）を、表示機能部１０３が有する表示画面上に表示させる。これによって、分析装置１０のユーザ（例えば、ネットワーク管理者）に対し、試験対象の送信装置２０と受信装置３０との間の音声パスを構成する各区間の“揺らぎ量の平均”を、区間順、又は揺らぎ量の平均の多い順で提示することができる。
〈通過試験装置数通知信号の受信処理〉
図２２は、送信装置２０による通過試験装置数通知信号の受信処理の例を示すフローチャートである。この受信処理は、送信装置２０の制御部２０１（図５）がプログラムを実行することによって行われる。また、当該受信処理は、送信装置２０が受信装置３０からの通過試験装置数通知信号（図１３）を通信機能部２０４で受信した場合に開始される。
図２２において、制御部２０１は、通過試験装置数通知を通信機能部２０４から受け取ると、これに含まれる中継装置数を、記憶機能部２０６の格納領域２０６Ｂに、“通過試験装置数”として設定（上書き）する（Ｓ４０１）。そして、当該受信処理を終了する。
〈試験開始指示信号の送信処理〉
図２３は、分析装置１０による試験開始指示信号（図９）の送信処理の例を示すフローチャートである。この送信処理は、分析装置１０の制御部１０１（図４）がプログラムを実行することによって行われる。当該送信処理は、例えば、制御部１０１が、入力機能部１０２によって入力パラメータとして入力（指定）される送信装置アドレス及び受信装置アドレスを受け取ることによって開始する。
図２３において、最初に、制御部１０１は、試験ログテーブル１０６ａ（図１７）から、入力パラメータとしての送信装置アドレス及び受信装置アドレスと同じアドレスが設定されているレコードを削除する（Ｓ５０１）。
次に、制御部１０１は、試験ログ通知先アドレスを捕捉する（Ｓ５０２）。この場合、制御部１０１は、記憶機能部１０６の格納領域１０６Ｇに予め格納されている複数の試験ログ通知先アドレスの中から、所定の試験ログ通知先アドレスを自動的に捕捉するようにしても良く、或いは、入力機能部１０２によって入力又は指定される試験ログ通知先アドレスを捕捉するようにしても良い。
次に、制御部１０１は、Ｓ５０２で捕捉した試験ログ通知先アドレスを、試験開始指示信号の試験ログ通知先アドレスのフィールドに設定する（Ｓ５０３）。
次に、制御部１０１は、記憶機能部１０６に格納されている受信装置アドレスを読み出し、試験開始指示信号の受信装置アドレスのフィールドに設定する（Ｓ５０４）。
次に、制御部１０１は、試験ログ通知先アドレスによる試験ログ信号の受信処理を開始する（Ｓ５０５）。
次に、制御部１０１は、入力パラメータとしての送信装置アドレスで指定された送信装置２０へ試験開始指示信号を通信機能部１０６から送信する（Ｓ５０６）。このとき、送信装置アドレスは、格納領域１０６Ｅに設定される。
次に、制御部１０１は、送信装置アドレスで指定される送信装置２０からの試験終了通知信号の受信を待機する状態となる（Ｓ５０７）。
最後に、制御部１０１は、試験終了通知信号を受信すると、試験ログ通知先アドレス１０６Ｇによる試験ログ信号の受信処理を停止し（Ｓ５０８）、当該処理を終了する。
〈試験開始指示信号の受信処理〉
図２４は、送信装置２０による試験開始指示信号の受信処理の例である。当該処理は、送信装置２０の制御部２０１（図５）が記憶機能部２０６に格納されているプログラムを実行することによって行われる。また、当該処理は、送信装置２０の通信機能部２０４で分析装置１０からの試験開始指示信号が受信され、制御部２０１が試験開始指示を通信機能部２０４から受信したときに開始される。
図２４において、最初に、制御部２０１は、試験呼設定信号に含まれていた試験ログ通知先アドレス（図９）を、試験呼設定信号（図１０）の試験ログ通知先アドレスのフィールドに設定する（Ｓ６０１）。
次に、制御部２０１は、記憶機能部２０６の格納領域２０６Ｅに格納されている自装置アドレスを読み出し、試験呼設定信号の送信装置アドレスのフィールドに設定する（Ｓ６０２）。
次に、制御部２０１は、試験開始指示信号中の受信装置アドレスで指定された受信装置３０を宛先として、試験呼設定信号を送信する（Ｓ６０３）。試験呼設定信号は通信機能部２０４から宛先の受信装置３０へ向けて送出される。
次に、制御部２０１は、試験開始指示信号の受信装置アドレスで指定された受信装置３０からの試験呼設定応答信号を待ち受ける状態となる（Ｓ６０４）。
そして、制御部２０１は、試験呼設定信号に対する応答が正常か否かを判定する（Ｓ６０５）。即ち、制御部２０１は、上記した待ち受け状態において、試験呼設定応答信号を受信した場合には応答が“正常”であると判定し、試験呼設定異常信号を受信した場合には応答が“異常”であると判定する。応答が正常である場合には処理がＳ６０６に進み、異常である場合にはＳ６１１に進む。
なお、Ｓ６０５の判定処理は、次のように行うようにしても良い。即ち、制御部２０１は、試験呼設定信号を送信すると、試験呼設定応答信号（図１１）を待ち受けるためのタイマ（図示せず）の計時を開始する。そして、タイマがタイムアウトになる前に試験呼設定応答信号を受信できた場合には、応答が正常であると判定し、そうでない場合（タイムアウト前に試験呼設定応答信号を受信できなかっった場合）には、応答が異常である（Ｓ６０５；異常）と判定する。このようにすれば、受信装置３０が試験呼設定異常信号を送信しなくて済む。また、このようなタイムアウト処理が試験呼設定応答／異常信号の送受信とともに行われ、制御部が異常信号の受信又はタイムアウトで異常を判定するようにしても良い。
Ｓ６０６に処理が進んだ場合には、制御部２０１は、試験開始指示信号で指定される受信装置アドレスの値を、記憶機能部２０６の格納領域２０６Ｆに設定する。
次に、制御部２０１は、試験呼設定応答信号に含まれている受信ポート番号を、記憶機能部２０６の格納領域２０６Ｇに設定する（Ｓ６０７）。
次に、制御部２０１は、受信装置３０からの試験呼設定応答信号で指定された受信ポートにむけて、試験計測信号の送信処理（図１４）を行う（Ｓ６０８）。
そして、制御部２０１は、試験計測信号の送信処理が終了すると、試験終了通知信号を生成し、通信機能部２０６を介して分析装置１０へ送信する（Ｓ６０９）。
最後に、制御部２０１は、試験呼解放信号を生成し、通信機能部２０６を介して受信装置３０へ送信し（Ｓ６１０）、当該処理を終了する。
ところで、制御部２０１は、Ｓ６０５にて“異常”と判定した場合には、試験異常終了通知信号を生成し、通信機能部２０６を介して分析装置１０へ送信し（Ｓ６１１）、当該処理を終了する。
〈試験呼設定信号の受信処理〉
図２５は、受信装置３０による試験呼設定信号の受信処理の例を示すフローチャートである。当該処理は、受信装置３０の制御部３０１が記憶機能部３０６に格納されたプログラムを実行することによって行われる。当該処理は、受信装置３０が送信装置２０からの試験呼設定信号を受信することによって開始される。
図２５において、最初に、制御部３０１は、試験呼設定信号（図１０）中の試験ログ通知先アドレスの値を、記憶機能部３０６の格納領域３０６Ａに設定する（Ｓ７０１）。
次に、制御部３０１は、試験呼設定信号中の送信装置アドレスの値を、記憶機能部３０６の格納領域３０６Ｂに設定する（Ｓ７０２）。
次に、制御部３０１は、試験計測信号の受信に用いる受信ポートを捕捉し（Ｓ７０３）、捕捉が正常か否かを判定する（Ｓ７０４）。捕捉が正常である場合（Ｓ７０４；正常）には、処理がＳ７０５に進み、そうでない場合（Ｓ７０４；異常）には処理がＳ７１０に進む。
Ｓ７０５では、制御部３０１は、正常に捕捉した受信ポートの受信ポート番号を試験呼設定応答信号（図１１）の受信ポートのフィールドに設定するとともに、記憶機能部３０６の格納領域３０６Ｄに設定する。
次に、制御部３０１は、試験呼設定応答信号を、試験呼設定信号の送信元の送信装置２０へ送信する（Ｓ７０６）。
次に、制御部３０１は、Ｓ７０３で正常に捕捉された受信ポートによる試験計測信号の受信処理（図１６）を開始する（Ｓ７０７）。
一方、制御部３０１は、送信装置２０からの試験呼解放信号を受信待ちする状態になる（Ｓ７０８）。
そして、制御部３０１は、試験呼解放信号を受信すると、試験計測信号の受信処理を停止し（Ｓ７０９）、当該処理を終了する。
ところで、制御部３０１は、受信ポートの捕捉が異常であると判定した場合（Ｓ７０４；異常）には、試験呼設定異常信号を生成し、送信装置２０へ送信し（Ｓ７１０）、当該処理を終了する。
〈試験ログ信号の受信処理〉
図２６は、分析装置１０による試験ログ信号の受信処理の例を示すフローチャートである。当該処理は、分析装置１０の制御部１０１がプログラムを実行することによって行われる。当該処理は、試験開始指示信号の送信処理（図２３）において、Ｓ５０４の処理の終了後に開始され、試験終了信号の受信によって停止する。図２６に示す処理は、試験ログ信号（図１２）を受信する毎に行われる。
図２６において、最初に、制御部１０１は、変数“ＳＡ”の値を、受信装置３０から受信された試験ログ信号に含まれている送信装置アドレスの値に設定する（Ｓ８０１）。
次に、制御部１０１は、変数“ＲＡ”の値を、試験ログ信号に含まれている受信装置アドレスの値に設定する（Ｓ８０２）。
次に、制御部１０１は、変数“ＳＱＮ”の値を、試験ログ信号に含まれているシーケンス番号（ＳＱＮ）の値に設定する（Ｓ８０３）。
次に、制御部１０１は、変数“ＳｔａｒｔＣｏｕｎｔｅｒ”の値を、試験ログ信号に含まれているスタートカウンタ［ＳｔａｒｔＣｏｕｎｔｅｒ］の値に設定する（Ｓ８０４）。
次に、制御部１０１は、上記した変数“ＳＡ”，“ＲＡ”，“ＳＱＮ”，及び“ＳｔａｒｔＣｏｕｎｔｅｒ”の値と同じ値のレコードが計測ログテーブル１０６ａ（図１７）にあるか否かを判定する（Ｓ８０５）。このとき、該当するレコードがあれば、当該処理が終了し、該当するレコードがなければ、制御部１０１は、試験ログテーブル１０６ａに試験ログ信号の内容を追加し（Ｓ８０６）、当該処理を終了する。
〈通過装置を明示する場合〉
上述した実施形態では、試験計測信号の送信，中継，受信を夫々行う装置（送信装置２０，受信装置３０，中継装置４０：これらをまとめて「通過装置」という）の識別情報が分析装置１０に通知されない態様であった。これに対し、通過装置の識別情報を通知する場合（通過装置を明示する場合）は、以下のように構成される。
前提として、試験計測信号を送信，中継，受信する送信装置２０，中継装置４０，受信装置３０の夫々は、対応する記憶機能部２０６，３０６，４０６において、自装置の識別子を格納している。この自装置の識別しは、装置ＩＤとして利用される。
図２７は、通過装置を明示する場合の試験計測信号のフィールド構成例を示す図である。図２７において、“ＳＱＮ”，“Ｃｏｕｎｔｅｒ”，“ＴｉｍｅＳｔａｍｐ”，“ＳｔｒａｔＣｏｕｎｔｅｒ”は、図８に示した試験計測信号と同じ情報である。“装置ＩＤ”は、通過装置の識別情報であり、試験計測信号に係る通過装置を特定するために利用される。各中継装置４０での装置ＩＤの設定位置は、“ＳｔｒａｔＣｏｕｎｔｅｒ”と“Ｃｏｕｎｔｅｒ”との各値により特定される。図２７に示す例では、タイムスタンプの格納フィールドと１対１で対応する複数の装置ＩＤの格納フィールド（装置ＩＤ＃０〜＃Ｌ）が用意されており上述したタイムスタンプの格納位置の特定方法と同様の方法で、装置ＩＤの格納位置が特定される。
図２８は、通過装置を明示する場合の試験ログ信号のフィールド構成例を示す図である。図２８において、“送信装置アドレス”，“受信装置アドレス”，“ＳＱＮ”，“Ｃｏｕｎｔｅｒ”，“ＳｔｒａｔＣｏｕｎｔｅｒ”，“ＴｉｍｅＳｔａｍｐ”は、図１２に示した試験ログ信号と同様である。“装置ＩＤ”は、試験計測信号に設定される装置ＩＤに対応するものであり、試験計測信号で得られた装置ＩＤを分析装置１０に通知するために設定される。
図２９は、通過装置を明示する場合の送信装置２０による試験計測信号の送信処理を示すフローチャートである。図２９に示す処理は、図１４に示したフローチャートのＳ００９とＳ０１０との間にＳ００９Ａの処理が挿入されている点を除き、図１４の処理と同様である。
Ｓ００９Ａでは、制御部２０１は、試験計測信号の装置ＩＤ＃０のフィールド（図２７）に対し、自装置識別子を設定する。これによって、送信装置２０から送出される試験計測信号に、送信装置２０の識別情報が付与される。
図３０は、通過装置を明示する場合の中継装置４０による試験計測信号の中継処理を示すフローチャートである。図３０に示す処理は、図１５に示したフローチャートのＳ１０５とＳ１０６との間にＳ１０５Ａの処理が挿入されている点を除き、図１５の処理と同様である。
Ｓ１０５Ａでは、制御部４０１は、試験計測信号の“装置ＩＤ＃ｉ”のフィールド（図２７）に対し、自装置識別子を設定する。これによって、中継装置４０を通過する試験計測信号に、当該中継装置４０の識別情報が付与される。
図３１は、通過装置を明示する場合の受信装置３０による試験計測信号の受信処理を示すフローチャートである。図３１に示す処理は、図１６に示したフローチャートのＳ２０６とＳ２０７との間にＳ２０６Ａの処理が挿入されている点を除き、図１６の処理と同様である。
Ｓ２０６Ａでは、制御部３０１は、試験計測信号の“装置ＩＤ＃ｉ”のフィールド（図２７）に対し、自装置識別子を設定する。これによって、受信装置３０で受信される試験計測信号に、当該受信装置３０の識別情報が付与される。
そして、図３１に示す受信処理が終了すると、試験計測信号の格納内容が設定された試験ログ信号が分析装置１０に送信され、分析装置１０にて試験ログ信号に基づく計測ログテーブル１０６ａが作成される。
図３２は、通過装置を明示する場合の計測ログテーブル１０６ａ２の構成例を示す図である。計測ログテーブル１０６ａ２において、［送信装置アドレス］、［受信装置アドレス］、［ＳＱＮ］、［Ｃｏｕｎｔｅｒ］、［ＳｔｒａｔＣｏｕｎｔｅｒ］、［ＴｉｍｅＳｔａｍｐ］は、図１７に示した計測ログテーブル１０６ａと同じ構成である。これに対し、計測ログテーブル１０６ａ２には、試験ログ信号に格納されている対応する［装置ＩＤ］を設定するためのフィールドが用意されている。
このように、試験計測信号の通過装置（送信装置２０，中継装置４０及び受信装置３０）の夫々の識別情報が分析装置１０に通知され、試験ログテーブル１０６ａ２に設定される。これによって、分析装置１０では、音声パスの各区間の始点及び終点に該当する通過装置を特定することができる。
従って、各区間の揺らぎ量の算出（揺らぎ算出結果テーブル１０６ａの作成）に際し、区間ＩＤと対応付けて、その区間の始点及び終点に夫々該当する装置ＩＤが設定された揺らぎ算出結果テーブルを作成することができる。これによって、揺らぎ算出結果テーブルを用いて揺らぎ量が大きい区間、即ち音声品質の劣化を生じている区間が特定される際に、その区間の始点及び終点に該当する通過装置を特定及び把握することができる。
〈動作例〉
次に、上述したシステムの動作例１について説明する。
図１に示すようなシステムにおいて、予め定められた試験スケジュール、ＩＰ電話利用者からのクレーム、ＶｏＩＰゲートウェイ等からのアラーム通知等に基づき、例えば、ユーザのマニュアル操作により、分析装置１０に対して、外部より分析開始を指示する。或いは、分析装置１０が、上述したスケジュール，クレーム，アラーム通知に応じて、自動的に分析を開始する。
すると、分析装置１０は、“試験開始指示信号の送信処理（図２３）”を実行し、図３に示すように、試験開始指示信号（図９）を送信装置２０へ送り、送信装置２０からの試験終了通知信号を待つ。
送信装置２０は、試験開始指示信号を受け取ると、“試験開始指示信号の受信処理（図２４）”を実行し、図３に示すように試験呼設定信号（図１０）を受信装置３０へ送り、受信装置３０からの試験呼設定応答信号（図１１）を待つ。
受信装置３０は、試験呼設定信号を受け取ると、“試験呼設定信号の受信処理（図２５）”を実行し、図３に示すように試験呼設定応答信号を送信装置２０へ送る。そして、受信装置３０は、送信装置２０からの試験計測信号（図８）の受信を開始し、試験呼解放信号を待つ。
送信装置２０は、受信装置３０からの試験呼設定応答信号を受け取ると、“試験開始指示信号の受信処理（図２４）”での試験呼設定応答信号の受信待状態から復帰し、“試験計測信号の送信処理（図１４）”を実行し、図３に示すように、試験計測信号を受信装置３０へ向けて送出する。
中継装置４０は、試験計測信号を受信すると、“試験計測信号の中継処理（図１５）”を実行し、図３に示すように、試験計測信号を受信装置３０へ向けて送出する。
受信装置３０は、試験計測信号を受信すると、“試験計測信号の受信処理（図１６）”を実行し、図３に示すように、通過試験装置数通知信号（図１３）を送信装置２０へ向けて送出するとともに、試験ログ信号（図１２）を分析装置１０へ向けて送出する。
送信装置２０は、受信装置３０からの通過試験装置数通知信号を受け取ると、“通過試験装置数通知信号の受信処理（図２２）”を実行し、通過試験装置数の値（領域２０６Ｂの値；図５）を変更する。
これにより、“試験計測信号の送信処理（図１４）”で参照される通過試験装置数が変更される。従って、図３に示すように、受信装置３０へ向けての試験計測信号の送出が、必要な数だけ継続される。
分析装置１０は、受信装置３０からの試験ログ信号を受け取ると、“試験Ｌｏｇ信号の受信処理（図２６）”を実行し、試験ログテーブル１０６ａ（図１７）へデータを蓄積する。
送信装置２０は、“試験計測信号の送信処理（図１４）”の実行を終えると、“試験開始指示信号の受信処理（図２４）”の処理に復帰する。そして、送信装置２０は、図３に示すように、試験終了通知信号を分析装置１０へ向けて送出するとともに、試験呼解放信号を受信装置３０へ向けて送出する。
受信装置３０は、試験呼解放信号を受け取ると、“試験呼設定信号の受信処理（図２５）”の試験呼解放信号の受信待状態から復帰し、“試験計測信号の受信処理”を停止する。
分析装置１０は、送信装置２０から試験終了通知信号を受け取ると、“試験開始指示信号の送信処理（図２３）”の試験終了通知信号の受信待状態から復帰し、“試験ログ信号の受信処理”を停止する。
分析装置１０は、“区間揺らぎ算出処理（図２０）”を実行し、計測ログテーブル１０６ａ（図１７）に格納されたデータを揺らぎ算出テーブル１０６ｂ（図１８）へと加工する。さらに、分析装置１０は、“区間ＩＤ”に対応した揺らぎ算出テーブル１０６ｂの揺らぎ量の平均値を計算し、“揺らぎ算出結果テーブル１０６ｃへと加工する。
分析装置１０は、表示機能部１０３から揺らぎ算出結果テーブル１０６ｃの内容を出力することができる。ネットワークの管理者は、揺らぎ算出結果テーブル１０６ｃの格納内容で示される試験の結果に基づき、音声品質の劣化が生じていると認められる「問題区間」を特定することができる。そして、ネットワークの管理者は、例えばマニュアル操作により、「問題区間」に関連する装置の切り替え、取り替え、経路の切り替えによる「問題区間」の迂回を実施することが可能となる。また、上述した「問題区間」の迂回に係る動作（経路の切替等）が、分析装置１０からの指示に基づき自動的に行われるように構成することもできる。
通過装置を明示する場合の動作例は、図８に示す試験計測信号，図１２に示す試験ログ信号，図１４に示す試験計測信号の送信処理，図１５に示す試験計測信号の中継処理，図１６に示す試験計測信号の受信処理，及び図１７に示す試験ログテーブル１０６ａの代わりに、図２７に示す試験計測信号，図２８に示す試験ログ信号，図２９に示す試験計測信号の送信処理，図３０に示す試験計測信号の中継処理，図３１に示す試験計測信号の受信処理，図３２に示す試験ログテーブル１０６ａ２が夫々適用される点を除き、上述した動作例と同様である。
〈実施形態の作用〉
上述した通信パスの品質劣化区間を特定するためのシステムによると、対象となる通信パス（音声パス）の送信装置２０と受信装置３０との間で、試験計測信号を所定の回数送受信することで、通信パスの各区間の始点又は終点に該当する装置のタイムスタンプ（送信時刻，通過時刻，及び受信時刻）を得る。そして、れられたタイムスタンプを用いて、夫々の区間における揺らぎ量の平均値を求める。これによって、通信品質（音声品質）の劣化を生じさせていると認められる平均揺らぎ量を持つ区間を特定することができる。そして、当該区間に対する迂回処理や改善の為の処理を行うことができる。
実施形態のシステムによれば、従来技術のように、音声パケットが通過する全ての区間にモニタ装置を設置する必要がない。従って、コストの低減を図ることができ、従来技術で説明した第１の問題を解決することができる。
また、モニタ装置を設置する必要がない点で、従来技術で説明した第２，第３の問題を解決することができる。
さらに、実施形態のシステムは、受信装置が分析装置に試験ログ信号を送信する。この構成によれば、従来技術において各区間に対応するモニタ装置の夫々が分析装置に信号ログ信号を送信する場合よりも、分析装置に対する信号（パケット）の数を減らすことができる。従って、ネットワークに対する負荷を軽減することができ、従来技術で説明した第４の問題を解決することができる。
さらに、従来技術のように、分析装置で受信するアラームから「問題区間」を割り出すのではなく、通信パスに対する試験を行う。従って、分析装置で受信するアラーム数が少なかったり通話経路が偏っていたりするために「問題区間」の特定が困難となる状況が生じない。これによって、従来技術で説明した第５及び６の問題を解決することができる。
また、実施形態のシステムによれば、音声パスが他のキャリア網を経由し、この他のキャリア網上の中継装置からタイムスタンプを得られなくても、自己の網からのタイムスタンプを得ることができる。これによって、少なくとも自己の網に「問題区間」があるか否かを判断できるので、自己の網と他のキャリア網とのどちらに「問題区間」があるのかを特定することができる。これによって、従来技術で説明した第７の問題を解決することができる。
また、実施形態のシステムによれば、アラームを分析装置に通知する構成では無いので、アラーム通知の増大によるアラームの誘発は生じない。従って、従来技術のように、アラームを通過させるネットワークを別途構成する必要はない。これによって、従来技術で説明した第８の問題を解決することができる。
上述した従来技術に対する利点を言い換えると、実施形態のシステムによれば、従来技術に比べて装置数を減少することができる。また、従来技術よりも少ないネットワーク負荷で問題区間を特定することができる。
また、実施形態のシステムでは、図１９に示した原理に基づいて品質の指標値となる揺らぎ量や揺らぎ量の平均値を求める。このため、タイムスタンプ（ＴｉｍｅＳｔａｍｐ）の付与に関して、「試験計測信号」を扱う装置が「時計（時計機能部の時刻）」を合わせる必要がない。
但し、分析装置１０等にて各装置の「時計（時計機能部で計時される時刻）」に対する補正情報を作成し、分析装置がその補正情報に基づいて計測ログテーブル１０６ａ，１０６ａ２の［ＴｉｍｅＳｔａｍｐ］の値を補正するように構成することができる。
また、実施形態のシステムでは、ＩＰ電話やＶｏＩＰゲートウェイが送信装置２０や受信装置３０の機能を持つ構成としたが、ルータに対して送信装置２０および受信装置３０の機能を持たせることが可能である。これによって、ＶｏＩＰ負荷の少ない区間についても、予防保全的に「試験」を実施することができる。
また、ルータに送信装置２０および受信装置３０の機能を持たせることにより、ＶｏＩＰ負荷の少ない区間や少ない時間帯に、試験測定信号の送受信による試験を実施し、「問題区間」を特定したり、「問題区間」のないことを保証したりすることができる。
また、ルータに送信装置２０および受信装置３０の機能を持たせることにより、他ＶｏＩＰキャリア等との接続において、品質保証の責任区間内について、「問題区間」の特定や「問題区間」のないことを保証することができる。
また、ＶｏＩＰに限らず、例えば、実時間性を重視する通信（ＲＴＰ等）を中継する装置群において、図３に示すような「試験」を実施し、「問題区間」の特定や「問題区間」のないことを保証することができる。
【産業上の利用可能性】  本発明は、通信パス上で信号やパケットの送信，中継，又は受信を行う装置や、これらの装置間で構成される通信区間の品質を分析する装置やシステムに適用可能である。
例えば、ＩＰ電話機、ＶｏＩＰゲートウェイ装置、ルータ装置、その他実時間性を重視する通信（ＲＴＰ等）をサポートするＩＰ関連通信機器に適用することができる。
【図１】
2005013567.tif 000003
【図２】
2005013567.tif 000004
【図３】
2005013567.tif 000005
【図４】
2005013567.tif 000006
【図５】
2005013567.tif 000007
【図６】
2005013567.tif 000008
【図７】
2005013567.tif 000009
【図８】
2005013567.tif 000010
【図９】
2005013567.tif 000011
【図１０】
2005013567.tif 000012
【図１１】
2005013567.tif 000013
【図１２】
2005013567.tif 000014
【図１３】
2005013567.tif 000015
【図１４】
2005013567.tif 000016
【図１５】
2005013567.tif 000017
【図１６】
2005013567.tif 000018
【図１７】
2005013567.tif 000019
【図１８】
2005013567.tif 000020
【図１９】
2005013567.tif 000021
【図２０】
2005013567.tif 000022
【図２１】
2005013567.tif 000023
【図２２】
2005013567.tif 000024
【図２３】
2005013567.tif 000025
【図２４】
2005013567.tif 000026
【図２５】
2005013567.tif 000027
【図２６】
2005013567.tif 000028
【図２７】
2005013567.tif 000029
【図２８】
2005013567.tif 000030
【図２９】
2005013567.tif 000031
【図３０】
2005013567.tif 000032
【図３１】
2005013567.tif 000033
【図３２】
2005013567.tif 000034
【図３３】
2005013567.tif 000035
【図３４】
2005013567.tif 000036
【国際調査報告】
2005013567.tif 000037
2005013567.tif 000038
2005013567.tif 000039